(57)【要約】 【課題】電化製品の操作（扱い）は不慣れな者にとっては難しく、製品の性能を十分に使いこなすことができないといった課題があった。【解決手段】課題を解決するための本発明の電化製品は、電化製品を制御するための情報である制御情報を記憶媒体に書込むことができ、書き込む制御情報の種類を１種類に限定することができる電化製品であって、読込手段を用いて記憶媒体から情報を読み込むステップと、書き込む制御情報以外の制御情報が記憶媒体に記憶されているかどうかを確認するステップと、記憶されていない場合は制御情報の書込みを行うステップと、記憶されている場合は、記憶されている情報が書き込む制御情報と互換関係にあるかを確認するステップと、互換関係にある場合は書込みを行うステップと、互換関係にない場合は書込みを行わないステップと、を実行できることを特徴としている。【選択図】なし【特許請求の範囲】
【請求項１】
電化製品を制御するための情報である制御情報を記憶媒体に書込むことができ、書き込む制御情報の数を１つに限定することができる家電製品であって、
電化製品を操作するための操作手段と、
電化製品の制御に関する情報としての制御情報、を記憶するための記憶手段と、
情報を処理するための情報の処理手段と、
情報を記憶媒体に書き込むための情報の書込み手段と、
情報を記憶媒体から読み込むための読込手段と、
を具備し、
前記処理手段が、
前記読込手段を用いて記憶媒体から情報を読み込むステップと、
制御情報が記憶媒体に記憶されているか否かを確認するステップと、
記憶媒体に制御情報が記憶されている場合は、記憶媒体に制御情報の書込みを行わないステップと、
記憶媒体に制御情報が記憶されていない場合は、記憶媒体に前記書込み手段を用いて制御情報の書込みを行うステップと、
を実行できる、
ことを特徴とする、電化製品。
【請求項２】
家電製品の機種の変更後、変更前の機種で使用していた機能と同様の機能を、変更後の機種でも同様の方法で使用できる電化製品であって、
電化製品の制御に関する情報としての制御情報、を記憶するための記憶手段と、
情報を処理するための情報の処理手段と、
情報を記憶媒体に書き込むための情報の書込み手段と、
情報を記憶媒体から読み込むための読込手段と、
を具備し、
前記記憶手段に、制御情報と、互換関係にある制御情報を抽出するための情報としての互換情報と、を予め記憶し、
前記処理手段が、
記憶媒体から読込手段を用いて制御情報を読込むステップと、
読み込んだ制御情報と、前記記憶手段に記憶されている互換情報と、を基に、互換性のある制御情報を前記記憶手段から抽出するステップと、
書込み手段を用いて、互換性のある制御情報を記憶媒体に書込むステップと、
を実行できることを特徴とする、電化製品。
【請求項３】
家電製品の機種の変更後、変更前の機種で使用していた機能と同様の機能を、変更後の機種でも同様の方法で使用できる電化製品であって、
電化製品の制御に関する情報としての制御情報、を記憶するための記憶手段と、
情報を処理するための情報の処理手段と、
情報を記憶媒体に書き込むための情報の書込み手段と、
情報を記憶媒体から読み込むための読込手段と、
を具備し、
前記記憶手段に、制御情報と、互換関係にある制御情報を抽出するための情報としての互換情報と、を予め記憶し、
前記処理手段が、
記憶媒体から読込手段を用いて制御情報を読込むステップと、
読み込んだ制御情報と、前記記憶手段に記憶されている互換情報と、を基に、互換性のある制御情報を前記記憶手段から抽出するステップと、
抽出した制御情報を基に制御を行うステップと、
を実行できることを特徴とする、電化製品。
【請求項４】
電化製品を制御するための情報である制御情報を記憶媒体に書込むことができ、書き込む制御情報の種類を１種類に限定することができる電化製品であって、
電化製品を操作するための操作手段と、
電化製品の制御に関する情報としての制御情報、を記憶するための記憶手段と、
情報を処理するための情報の処理手段と、
情報を記憶媒体に書き込むための情報の書込み手段と、
情報を記憶媒体から読み込むための読込手段と、
を具備し、
前記記憶手段に、制御情報と、制御情報の互換情報と、を予め記憶し、
制御情報を記憶媒体に書き込む際に前記処理手段が、
前記読込手段を用いて記憶媒体から情報を読み込むステップと、
書き込む制御情報以外の制御情報が記憶媒体に記憶されているかどうかを確認するステップと、
記憶されていない場合は制御情報の書込みを行うステップと、
記憶されている場合は、記憶されている情報が書き込む制御情報と互換関係にあるかを確認するステップと、
互換関係にある場合は書込みを行うステップと、
互換関係にない場合は書込みを行わないステップと、
を実行できることを特徴とする、電化製品。
【請求項５】
使用している電化製品の機能から製品情報を抽出し表示する方法であって、
情報を記憶するための記憶手段と、
情報を処理するための情報の処理手段と、
記憶媒体から情報を読み込むための情報の読込手段と、
情報を表示するための表示手段と、
からなり、
記憶媒体から読み込んだ制御情報を基に製品情報の抽出を行うステップと、
抽出によって得た製品情報を前記表示手段を用いて表示するステップと、
を実行できることを特徴とする、製品情報の抽出、表示方法。
【請求項６】
使用している電化製品の機能から製品情報を抽出し表示できる装置であって、
情報を記憶するための記憶手段と、
情報を処理するための情報の処理手段と、
記憶媒体から情報を読み込むための情報の読込手段と、
情報を表示するための表示手段と、
からなり、
記憶媒体から読み込んだ制御情報を基に製品情報の抽出を行うステップと、
抽出によって得た製品情報を前記表示手段を用いて表示するステップと、
を実行できることを特徴とする、製品情報の抽出、表示装置。
【請求項７】
請求項１、請求項２、請求項３、請求項４、の少なくとも１つの電化製品において、
磁力により接点のオンとオフを切り替える切換え手段を具備し、
前記切換え手段の動作と連動して制御情報の読み込みを開始することを特徴とする、
電化製品。
【発明の詳細な説明】
【技術分野】
【０００１】
本発明は、主に、電化製品および電化製品の抽出方法に関するものである。
【背景技術】
【０００２】
従来、家電製品および電気制御可能な製品（以下両方を合わせて説明の便宜上電化製品とする）、は周知の制御方法によって制御されている。
（例えば非特許文献１参照）  
【０００３】
電化製品としては周知の物として、映像を表示するためのテレビ、映像を録画するための録画用デッキ、録画された映像を再生するための再生用デッキ、洗濯をするための
洗濯機、乾燥をするための乾燥機、洗濯および乾燥をするための洗濯乾燥機、加熱調理をするための電子レンジ、加熱調理をするためのオーブントースター、パソコン、カメラ、扇風機、ファンヒーター、オイルヒーター、空気清浄機、除湿機、マッサージ機、
などがあり、上記以外にも周知の物が多くある。
（例えば非特許文献２、非特許文献３、非特許文献４、参照）
また、スマート家電といった、携帯端末を用いて操作可能な電化製品がある。
【先行技術文献】
【非特許文献】
【０００４】
【非特許文献１】門田和雄著、「今日からモノ知りシリーズトコトンやさしい制御の本」日刊工業新聞社出版、２０１１年７月２８日発行、ｐ１０〜１５６
【非特許文献２】佐藤銀平著、「化学のはたらきシリーズ第１巻「家電製品がわかる１」-アインシュタインの冷蔵庫-」東京書籍株式会社出版、２００８年１月３０日、ｐ１２〜２１６
【非特許文献３】佐藤銀平著、「化学のはたらきシリーズ第２巻「家電製品がわかる２」-相対性理論で正しく動くＧＰＳ-」東京書籍株式会社出版、２００８年１月３０日、ｐ２〜２１７
【非特許文献４】安藤龍男発行、「家電製品エンジニア資格生活家電の基礎と製品技術」日本放送出版協会発行、２００１年５月３０日、ｐ.１〜４３７
【発明の概要】
【発明が解決しようとする課題】
【０００５】
電化製品の操作（扱い）は不慣れな者にとっては難しく、製品の性能を十分に使いこなすことができないといった課題があった。
【０００６】
スマート家電は携帯端末による操作を可能とし操作性は向上しているが数多の機能の中から使いたい機能を探し選択する必要があり、扱いに不慣れな者にとっては難しく、製品の性能を十分に使いこなすことが難しかった。
【０００７】
また、電化製品の操作に慣れた者が、電化製品の操作に不慣れな者に、電化製品の操作を説明することは、よくあることであるが、電化製品の操作に不慣れな者が操作の習熟に至ることは、容易ではなかった。
【０００８】
従来の電化製品は、買換えなどにより機種が変わると、操作方法が変わり、新たに操作方法を覚える必要があった。
これは、利用者にとっては負担となっていた。
【０００９】
本発明は、電化製品の操作に不慣れな者が製品の性能を十分に使いこなすことができるよう、電化製品の操作に慣れた者が簡易な方法を準備できるようにし、電化製品の操作の慣れた者と同様の操作結果を得ることを可能とし、且つ、記憶媒体に記憶する制御情報を、１つのみ記憶もしくは互換性のある情報１種類のみを記憶できるようにし、利用者が用いる制御情報を機械上で選択する必要をなくすことを目的としている。
【００１０】
また、買換え前の電化製品の制御に関する情報から、互換情報を基に、買換え後の電化製品の制御に関する情報を容易に得ることができるようにし、買い替えなどによる利用者の負担を減らすことも目的としている。
【００１１】
また、新たに製品を購入（取得）する際に使用している機能から製品を探せるようにし、利用者が製品を探す際の負担を減らすことを目的としている。
【課題を解決するための手段】
【００１２】
課題を解決するための請求項１記載の電化製品は、
電化製品を制御するための情報である制御情報を記憶媒体に書込むことができ、書き込む制御情報の数を１つに限定することができる家電製品であって、
電化製品を操作するための操作手段と、
電化製品の制御に関する情報としての制御情報、を記憶するための記憶手段と、
情報を処理するための情報の処理手段と、
情報を記憶媒体に書き込むための情報の書込み手段と、
情報を記憶媒体から読み込むための読込手段と、
を具備し、
前記処理手段が、
前記読込手段を用いて記憶媒体から情報を読み込むステップと、
制御情報が記憶媒体に記憶されているか否かを確認するステップと、
記憶媒体に制御情報が記憶されている場合は、記憶媒体に制御情報の書込みを行わないステップと、
記憶媒体に制御情報が記憶されていない場合は、記憶媒体に前記書込み手段を用いて制御情報の書込みを行うステップと、
を実行できる、
ことを特徴としている。
【００１３】
課題を解決するための請求項２記載の電化製品は、
家電製品の機種の変更後、変更前の機種で使用していた機能と同様の機能を、変更後の機種でも同様の方法で使用できる電化製品であって、
電化製品の制御に関する情報としての制御情報、を記憶するための記憶手段と、
情報を処理するための情報の処理手段と、
情報を記憶媒体に書き込むための情報の書込み手段と、
情報を記憶媒体から読み込むための読込手段と、
を具備し、
前記記憶手段に、制御情報と、互換関係にある制御情報を抽出するための情報としての互換情報と、を予め記憶し、
前記処理手段が、
記憶媒体から読込手段を用いて制御情報を読込むステップと、
読み込んだ制御情報と、前記記憶手段の制御情報の互換情報と、を基に、互換性のある制御情報を前記記憶手段から抽出するステップと、
書込み手段を用いて、互換性のある制御情報を記憶媒体に書込むステップと、
を実行できることを特徴としている。
【００１４】
課題を解決するための請求項３記載の電化製品は、
家電製品の機種の変更後、変更前の機種で使用していた機能と同様の機能を、変更後の機種でも同様の方法で使用できる電化製品であって、
電化製品の制御に関する情報としての制御情報、を記憶するための記憶手段と、
情報を処理するための情報の処理手段と、
情報を記憶媒体に書き込むための情報の書込み手段と、
情報を記憶媒体から読み込むための読込手段と、
を具備し、
前記記憶手段に、制御情報と、互換関係にある制御情報を抽出するための情報としての互換情報と、を予め記憶し、
前記処理手段が、
記憶媒体から読込手段を用いて制御情報を読込むステップと、
読み込んだ制御情報と、前記記憶手段の制御情報の互換情報と、を基に、互換性のある制御情報を前記記憶手段から抽出するステップと、
抽出した制御情報を基に制御を行うステップと、
を実行できることを特徴としている。
【００１５】
課題を解決するための請求項４記載の電化製品は、
電化製品を制御するための情報である制御情報を記憶媒体に書込むことができ、書き込む制御情報の種類を１種類に限定することができる電化製品であって、
電化製品を操作するための操作手段と、
電化製品の制御に関する情報としての制御情報、を記憶するための記憶手段と、
情報を処理するための情報の処理手段と、
情報を記憶媒体に書き込むための情報の書込み手段と、
情報を記憶媒体から読み込むための読込手段と、
を具備し、
前記記憶手段に、制御情報と、制御情報の互換情報と、を予め記憶し、
制御情報を記憶媒体に書き込む際に前記処理手段が、
前記読込手段を用いて記憶媒体から情報を読み込むステップと、
書き込む制御情報以外の制御情報が記憶媒体に記憶されているかどうかを確認するステップと、
記憶されていない場合は制御情報の書込みを行うステップと、
記憶されている場合は、記憶されている情報が書き込む制御情報と互換関係にあるかを確認するステップと、
互換関係にある場合は書込みを行うステップと、
互換関係にない場合は書込みを行わないステップと、
を実行できることを特徴としている。
【００１６】
課題を解決するための請求項５記載の電化製品は、
請求項１、請求項２、請求項３、請求項４、の少なくとも１つの電化製品において、
磁力により接点のオンとオフを切り替える切換え手段を具備し、
前記切換え手段の動作と連動して制御情報の読み込みを開始することを特徴としている。
【００１７】
課題を解決するための請求項６記載の製品情報の抽出、表示方法は、
使用している電化製品の機能から製品情報を抽出し表示する方法であって、
情報を記憶するための記憶手段と、
情報を処理するための情報の処理手段と、
記憶媒体から情報を読み込むための情報の読込手段と、
情報を表示するための表示手段と、
からなり、
記憶媒体から読み込んだ制御情報を基に製品情報の抽出を行うステップと、
抽出によって得た製品情報を前記表示手段を用いて表示するステップと、
を実行できることを特徴としている。
【００１８】
課題を解決するための請求項７記載の製品情報の抽出、表示装置は、
使用している電化製品の機能から製品情報を抽出し表示できる装置であって、
情報を記憶するための記憶手段と、
情報を処理するための情報の処理手段と、
記憶媒体から情報を読み込むための情報の読込手段と、
情報を表示するための表示手段と、
からなり、
記憶媒体から読み込んだ制御情報を基に製品情報の抽出を行うステップと、
抽出によって得た製品情報を前記表示手段を用いて表示するステップと、
を実行できることを特徴としている。
【発明の効果】
【００１９】
上述したように本発明の電化製品は、電化製品の操作に慣れた者が、電化製品の操作の結果を出力し保存することができ、電化製品の操作に不慣れな者が、電化製品の操作の慣れた者と同様の操作結果を得ることが可能となり、製品の性能を十分に使いこなすことが可能となる。
【００２０】
上述したように本発明の電化製品は、記憶媒体に記憶する制御情報を、１つのみ記憶もしくは互換性のある情報１種類のみを記憶することができ、利用者が用いる制御情報を機械上で選択する必要が無くなり記憶媒体を電化製品にセットするだけで目的の結果を得ることができるようになる。
【００２１】
上述したように本発明の電化製品は、買換え前の電化製品の制御に関する情報から、互換情報を基に、買換え後の電化製品の制御に関する情報を容易に得ることができるようになり、買い替えなどによる利用者の負担を減らすことができ、販売の抑止力を軽減することができる。
【００２２】
上述したように本発明の製品情報の抽出、表示装置は、新たに製品を購入（取得）する際に使用している機能から製品を探すことができ、利用者が製品を探す際の負担を減らすことができる。
【発明を実施するための形態】
【００２３】
制御情報を記憶媒体に書き込むための書込み手段と、制御情報を記憶媒体から読み込むための読込み手段と、電化製品の操作を行う為の操作手段と、情報の処理手段と、情報の記憶手段と、から、記憶媒体に制御情報を書込み可能なように構成し、電化製品に具備する。書込み手段と読込手段は１つの物として構成し、書込み/読込手段とすることが望ましい。
【００２４】
書込み手段は、電化製品を制御するための制御情報を、記憶媒体に書込む（記憶する）ための物である。書き込み手段は周知の物があり、最適な物を用いればよく、詳細な説明を省略するが、例えば、周知の物としてICカードライタ、メモリカードライタ、ＵＳＢメモリライタ、ディスクドライブ、ＭＯ，などがある。書込み手段の種類により書込み可能な状態が異なるが、説明の便宜上、書込み手段による情報の書き込みが可能な状態にすることを、以下、書込み手段にセットする、とする。
【００２５】
書込み手段にセットする、の例としては、書込み手段が非接触型の書込み手段の場合は書込み位置に記憶媒体を持っていき書込みを待つ、書込み手段が接触型の書込み手段の場合は記憶媒体を書込み手段に接続し書込みを待つ、ようにすればよい。
【００２６】
読込手段は、情報を、記憶媒体から読み込むための物である。読込手段は周知の物があり、最適な物を用いればよく、詳細な説明を省略するが、例えば、周知の物としてＩＣカードリーダ、メモリカードリーダ、ＵＳＢメモリリーダ、ディスクドライブ、ＭＯ、などがある。読込手段の種類により書込み可能な状態が異なるが、説明の便宜上、読込手段による情報の読み込みが可能な状態にすることを、以下、読込手段にセットする、とする。
【００２７】
読込手段にセットする、の例としては、読込手段が非接触型の書込み手段の場合は読込位置に記憶媒体を持っていき読み込みを待つ、読込手段が接触型の読込手段の場合は記憶媒体を読込手段に接続し読み込みを待つ、ようにすればよい。
【００２８】
情報の処理手段は、電化製品の制御に関する情報の処理を行うための物である。情報の処理手段は周知の物があり、最適な物を用いればよく、詳細な説明を省略するが、例えば、周知のものとしてＣＰＵ（制御/演算装置）、ＭＰＵ（制御/演算装置）などがある。
【００２９】
情報の記憶手段は、制御情報を記憶するための物である。情報の記憶手段は周知の物があり、最適な物を用いればよく、詳細な説明を省略するが、例えば、周知の物としてメモリ、記憶装置、主記憶装置、補助記憶装置、ハードディスク、などがある。電化製品が記憶手段を必要とする場合は、出力システムと、電化製品と、の共通の記憶手段としても良いし、別々に記憶手段を設けても良い。
【００３０】
記憶媒体は、電化製品の記憶手段とは別に制御情報を記憶するための物である。記憶媒体は周知の物があり、最適な物を用いればよく、詳細な説明を省略するが、例えば、周知の物としてＩＣカード、メモリカード、ＵＳＢメモリ、光ディスク、ＭＯ、などがある。
【００３１】
操作手段は、電化製品の操作を行うための物である。操作手段は周知の物があり、電化製品に応じて最適な物を用いればよく、詳細な説明を省略するが、例えば、周知の物として、スイッチ、リモートコントローラー、タッチパネル、キーボードなどがある。
操作手段を用いて操作を行い所定の制御および情報の処理を実行する方法は周知であり、本発明の特徴とする部分では無く省略するが、操作に応じて所定の制御および情報の処理が行われるのであれば形状や構成を限定する物ではない。このときの制御および情報の処理などは、情報の処理手段が制御および処理し、制御および処理のためのプログラムは予め記憶手段に記憶しておく。
【００３２】
制御情報は、電化製品を制御するためのプログラムや、電化製品を制御するためのプログラムを選択するためのキー情報や、など制御情報を読み込んだ電化製品が、所定の動作を行うことができる物であればよい。
【００３３】
制御情報をプログラムとする場合は、操作に応じてどのプログラムを出力(書込み)するか、を予め電化製品の記憶手段に記憶しておき、操作に応じたプログラムを出力（書込み）する。
【００３４】
制御情報をキー情報とする場合は、操作に応じてどのキー情報を出力するか、と、キー情報を読み込んだ際どのプログラムを実行するか、と、を予め記憶手段に記憶しておき、操作に応じたプログラムの出力、と、読み込んだキー情報に応じたプログラムの実行、とを行えるようにする。また、キー情報に電化製品の種類や型番を特定するための情報を含むようにし、より細かにプログラムとの対応関係を設定しても良い。キー情報は識別子のような情報で良い。例えば、キー情報をＡ１２３４５対応するプログラムがプログラムＡ、キー情報をＢ５６７８９対応するプログラムがプログラムＢのようにキー情報毎に対応するプログラムを予め設定しておく。
【００３５】
電化製品をプログラムの実行によって制御する、方法、手段、は本発明の特徴とする部分ではなく周知であり詳細な説明は省略するが、電化製品の種類に応じて最適なものを用いればよい。
【００３６】
制御情報の出力の流れの一例を以下に説明する。
１）   利用者は、出力したい制御情報に応じた操作を行う。
２）   電化製品の情報の処理手段は、操作に応じた制御情報を記憶手段から抽出する。
３）   利用者は、記憶媒体を書込み手段にセットする。
４）   電化製品の情報の処理手段は、書込み手段を用いて、抽出した制御情報を記憶媒体に書き込む（記憶する）。
【００３７】
また、表示手段を具備し、書き込む内容を確認した後に書込みの処理ができるようにすることがより望ましい。この場合、表示手段の内容で良い場合に書込み処理を開始する場合は開始するための操作を行い、表示手段の内容では良くない場合に書込み処理を中止する場合は中止するための操作を行う。
この場合における制御情報の出力の流れの一例を以下に説明する。
１）   利用者は、出力したい制御情報に応じた操作を行う。
２）   情報の処理手段は、操作に応じた制御情報を記憶手段から抽出する。
３）   情報の処理手段は、抽出した制御情報によって得られる結果を、表示手段を用いて表示する。
４）   利用者は、表示を確認する。
５）   利用者は、表示の確認の結果、書込みを行う場合は、記憶媒体を書込み手段と制御情報の授受ができるように準備し、操作手段を用いて開始するための操作を行い、書込みを開始する。
６）   利用者は、表示の確認の結果、書込みを行わない場合は、操作手段を用いて中止するための操作を行い、書込みを中止する。
７）   利用者は、記憶媒体を書込み手段にセットする。
８）   情報の処理手段は、開始するための操作が行われた場合は書込み手段を用いて制御情報を記憶媒体に書き込む（記憶する）。中止のための操作が行われた場合は書込みを中止し、情報の処理を終了する。
【００３８】
表示手段は、情報を表示するための物である。表示手段は周知の物があり電化製品に応じて最適な物を用いればよく、詳細な説明を省略するが、例えば周知のものとしてディスプレイ、液晶ディスプレイ、有機ＥＬディスプレイ、プラズマディスプレイ、３Ｄディスプレイ、タッチパネル、などがある。
【実施例１】
【００３９】
発明を実施するための形態記載の家電製品において、読込手段により記憶媒体から情報を読み込むことで記憶媒体に制御情報が記憶されていないかを確認し、記憶媒体に制御情報が記憶されていない場合にのみ書込み手段による制御情報の書込みを行えるようにすることで、記憶媒体に書き込む制御情報の数を１つのみに限定する。
【００４０】
実施例１における制御情報の出力の流れの一例を以下に説明する。
１）   利用者は、書込みたい制御情報に応じた操作を行う。
２）   情報の処理手段は、操作に応じた制御情報を記憶手段から抽出する。
３）   利用者は、記憶媒体を書込み/読込手段にセットする。
４）   情報の処理手段は、読込手段を用いて、記憶媒体の情報を読込、制御情報が記憶されているかどうかを確認する。
５）   情報の処理手段は、確認の結果、記憶媒体に制御情報が記憶されていない場合、制御情報の書込み手段を用いて、制御情報を記憶媒体に書き込む。
６）   情報の処理手段は、確認の結果、記憶媒体に制御情報が記憶されている場合、書込み処理を中止する。
【実施例２】
【００４１】
発明を実施するための形態記載の家電製品において、互換情報を記憶手段に記憶し、読み込んだ制御情報と、互換情報と、を基に制御情報を抽出し、抽出した制御情報の書込みを行う。
【００４２】
互換情報は電化製品の買換えなどにより機種が変わり、記憶媒体から制御情報を読み込んだ際、読み込んだ制御情報が買換え後の電化製品に対応する制御情報では無い場合に、互換可能な、制御情報、もしくは、プログラムを抽出するための情報であり、予め制御情報毎に互換情報を決め記憶手段に記憶しておく。
【００４３】
互換情報は互換可能な制御情報を抽出するための対応表のような情報である。説明の便宜上、機種が変わる前の電化製品を旧電化製品、機種が変わった後の電化製品を新電化製品、とし、旧電化製品の制御情報を旧制御情報、新電化製品の制御情報を新制御情報、とする。例えば、読み込んだ旧制御情報がキー情報であり識別子Ａ１２３４５（旧制御情報に対応する旧電化製品のプログラムがプログラムＡ）の場合、互換可能な新制御情報は、キー情報として識別子ＡＡ１２３４５である、もしくはプログラムＡＡである、といったような情報である。読み込んだ旧制御情報がプログラムでありプログラムＡの場合は、互換可能な新制御情報は、キー情報としてＡＡ１２３４５である、もしくはプログラムＡＡである、といったような情報である。
【００４４】
実施例２において新電化製品の処理手段は読込手段を用いて読み込んだ旧制御情報と、互換情報と、を基に読み込んだ旧制御情報に対応する新制御情報を抽出し、記憶媒体に抽出した新制御情報の書込みを行う。
【００４５】
実施例２における情報の処理手段の処理の流れを説明する。
１）    利用者は、記憶媒体を書込み/読込手段にセットする。
２）    情報の処理手段は、読込手段を用いて、記憶媒体から制御情報を読み込む。
３）    情報の処理手段は、読み込んだ制御情報と、互換情報と、を基に、互換可能な制御情報を抽出する。
４）    情報の処理手段は、書込み手段を用いて抽出した制御情報を記憶媒体に書込む。
【実施例３】
【００４６】
発明を実施するための形態記載の家電製品において、互換情報を記憶手段に記憶し、読み込んだ制御情報と、互換情報と、を基に制御情報を抽出し、抽出した制御情報を基に電化製品の制御を行う。
【００４７】
実施例３において新電化製品の処理手段は読込手段を用いて読み込んだ旧制御情報と、互換情報と、を基に読み込んだ旧制御情報に対応する新制御情報を抽出し、抽出した新制御情報を基に電化製品の制御を行う。
【００４８】
実施例３における情報の処理手段の処理の流れを説明する。
１）    利用者は、記憶媒体を書込み/読込手段にセットする。
２）    情報の処理手段は、読込手段を用いて、記憶媒体から制御情報を読み込む。
３）    情報の処理手段は、読み込んだ制御情報と、互換情報と、を基に、互換可能な制御情報を抽出する。
４）    情報の処理手段は、制御情報を基に電化製品の制御を行う。
【実施例４】
【００４９】
発明を実施するための形態記載の家電製品において、互換情報を記憶手段に記憶し、読み込んだ制御情報と互換情報とを基に制御情報を抽出し、抽出した制御情報の書込みを行う。
【００５０】
実施例４において新電化製品の処理手段は読込手段を用いて読み込んだ制御情報が対応する制御情報か確認し、対応する制御情報ではない場合は、互換情報を基に読み込んだ制御情報に対応する制御情報を抽出し、記憶媒体に抽出した制御情報の書込みを行う。
【００５１】
実施例４における情報の処理手段の処理の流れを説明する。
５）    利用者は、記憶媒体を書込み/読込手段にセットする。
６）    情報の処理手段は、読込手段を用いて、記憶媒体から制御情報を読み込む。
７）    情報の処理手段は、読み込んだ制御情報が対応する制御情報であるか確認する。
８）    情報の処理手段は、読み込んだ制御情報が対応する制御情報であった場合は、制御情報を基に電化製品の制御を行う、
９）    情報の処理手段は、読み込んだ制御情報が対応する制御情報でなかった場合は、読み込んだ制御情報と、互換情報と、を基に、互換関係にある制御情報を抽出する。
１０）  情報の処理手段は、書込み手段を用いて抽出した制御情報を記憶媒体に書込む。
【実施例５】
【００５２】
発明を実施するための形態記載の家電製品において、互換情報を記憶手段に記憶し、読み込んだ制御情報と互換情報とを基に制御情報を抽出し、抽出した制御情報を基に電化製品の制御を行う。
【００５３】
実施例５において新電化製品の処理手段は読込手段を用いて読み込んだ制御情報が対応する制御情報か確認し、対応する制御情報ではない場合は、互換情報を基に読み込んだ制御情報に対応する制御情報を抽出し、抽出した制御情報を基に電化製品の制御を行う。
【００５４】
実施例５における情報の処理手段の処理の流れを説明する。
１）    利用者は、記憶媒体を書込み/読込手段にセットする。
２）    情報の処理手段は、読込手段を用いて、記憶媒体から制御情報を読み込む。
３）    情報の処理手段は、読み込んだ制御情報が対応する制御情報であるか確認する。
４）    情報の処理手段は、読み込んだ制御情報が対応する制御情報であった場合は、制御情報を基に電化製品の制御を行う、
５）    情報の処理手段は、読み込んだ制御情報が対応する制御情報でなかった場合は、読み込んだ制御情報と、互換情報と、を基に、互換関係にある制御情報を抽出する。
６）    情報の処理手段は抽出した制御情報を基に電化製品の制御を行う。
【実施例６】
【００５５】
発明を実施するための形態記載の家電製品において、互換情報を記憶手段に記憶し、制御情報を書き込む際に、書き込む制御情報以外の制御情報が記憶媒体に記憶されているか確認し、記憶されていない場合は制御情報の書込みを行い、記憶されている場合は記憶されている制御情報が書き込む制御情報と互換関係にあるか確認し、互換情報にある場合は制御情報の書込みを行う。
【００５６】
実施例６における情報の処理手段の処理の流れを説明する。
１）    利用者は、記憶媒体を書込み/読込手段にセットする。
２）    情報の処理手段は、読込手段を用いて、記憶媒体から情報を読み込み、書き込む制御情報以外の制御情報が記憶媒体に記憶されているかどうかを確認する。
３）    情報の処理手段は、確認の結果、制御情報が記憶されていない場合は制御情報の書込みを行う。
４）    情報の処理手段は、確認の結果、制御情報が記憶されている場合は、記憶されている情報が書き込む制御情報と互換関係にあるかを確認する。
５）    情報の処理手段は、確認の結果、記憶されている制御情報が書き込む制御情報と互換関係である場合、制御情報の書込みを行う。
６）    情報の処理手段は、確認の結果、記憶されている制御情報が書き込む制御情報と互換関係ではない場合、制御情報の書込みを中止する。
【実施例７】
【００５７】
製品情報の抽出、表示装置を、制御情報の読込手段と、記憶手段と、表示手段と、情報の処理手段と、から、記憶媒体から制御情報を読込み、読み込んだ制御情報を基に製品情報を抽出し表示するように構成する。
【００５８】
製品情報の抽出、表示装置は、現在所有している電化製品において、どのような機能を使っているかを基に製品じょうほうを抽出し表示するものである。
【００５９】
実施例７において、記憶手段には予め製品情報を記憶しておくか、ネットワークの接続手段を具備し、ネットワークを介して製品情報を取得し記憶手段に記憶できるようにする。
制御情報毎に、製品情報として、製品の性能などの情報、機能（制御情報）、など製品に関する情報を予め関連づけて記憶しておき、制御情報毎に、製品情報としての、製品の性能などの情報、機能（新制御情報）、など製品に関する情報を抽出できるようにする。
【００６０】
製品情報の表示システムは記憶媒体に記憶されている制御情報を基に、製品情報を抽出し表示する。
【００６１】
実施例における制御情報の出力の流れの一例を以下に説明する。
１）   記憶媒体を読込手段にセットする。
２）   情報の処理手段は、読込手段を用いて、記憶媒体から制御情報を読み込む。
３）   情報の処理手段は、読み込んだ制御情報を基に製品情報を記憶手段から抽出する。
４）   情報の処理手段は、抽出した製品情報を表示手段を用いて表示する。
【００６２】
また書込み手段を具備し、記憶媒体に機能（新制御情報）を書き込めるようにすることがより望ましい。
【実施例８】
【００６３】
実施例１、実施例２、実施例３、実施例４、実施例５、実施例６、の電化製品において読込手段の制御情報の読み込みが磁力スイッチと連動して行われるように構成し、記憶媒体に磁力スイッチを動作させるための磁石もしくは磁性体を具備し、記憶媒体を電化製品との制御情報の授受を行える状態とするだけで、電化製品の電源入力がオンとなり制御が開始されるようにする。この際、確認のために制御を開始する前に準備状態で待機し開始情報待ちとしても良い。
【００６４】
実施例８における電化製品の制御の流れの一例を以下に説明する。
１）   利用者は、記憶媒体を読込手段にセットする。
２）   磁力スイッチが作動し、情報の処理手段が起動し、情報の処理手段が読込手段を用いて、記憶媒体から制御情報を読み込む。
３）   情報の処理手段は読み込んだ制御情報を基に電化製品の制御を行う。
【手続補正書】
【提出日】平成27年3月1日(2015.3.1)
【手続補正１】
【補正対象書類名】明細書
【補正対象項目名】全文
【補正方法】変更
【補正の内容】
【発明の詳細な説明】
【技術分野】
【０００１】
本発明は、主に、電化製品および電化製品の検索方法に関するものである。
【背景技術】
【０００２】
従来、家電製品および電気制御可能な製品（以下両方を合わせて説明の便宜上電化製品とする）、は周知の制御方法によって制御されている。
（例えば非特許文献１、特許文献２、非特許文献３、非特許文献４、参照）  
【０００３】
電化製品としては周知の物として、映像を表示するためのテレビ、映像を録画するための録画用デッキ、録画された映像を再生するための再生用デッキ、洗濯をするための
洗濯機、乾燥をするための乾燥機、洗濯および乾燥をするための洗濯乾燥機、加熱調理をするための電子レンジ、加熱調理をするためのオーブントースター、パソコン、カメラ、扇風機、ファンヒーター、オイルヒーター、空気清浄機、除湿機、マッサージ機、室温や湿度を調整するためのエアコン、などがあり、上記以外にも周知の物が多くある。
（例えば非特許文献２、非特許文献３、非特許文献４、参照）
また、スマート家電といった、携帯端末を用いて操作可能な電化製品がある。
【先行技術文献】
【非特許文献】
【０００４】
【非特許文献１】門田和雄著、「今日からモノ知りシリーズトコトンやさしい制御の本」日刊工業新聞社出版、２０１１年７月２８日発行、１０‐１５６頁
【非特許文献２】佐藤銀平著、「化学のはたらきシリーズ第１巻「家電製品がわかる１」-アインシュタインの冷蔵庫-」東京書籍株式会社出版、２００８年１月３０日、１２‐２１６頁
【非特許文献３】佐藤銀平著、「化学のはたらきシリーズ第２巻「家電製品がわかる２」-相対性理論で正しく動くＧＰＳ-」東京書籍株式会社出版、２００８年１月３０日、２‐２１７頁
【非特許文献４】安藤龍男発行、「家電製品エンジニア資格生活家電の基礎と製品技術」日本放送出版協会発行、２００１年５月３０日、１‐４３７頁
【発明の概要】
【発明が解決しようとする課題】
【０００５】
電化製品の操作（扱い）は不慣れな者にとっては難しく、製品の性能を十分に使いこなすことができないといった課題があった。
【０００６】
スマート家電は携帯端末による操作を可能とし操作性は向上しているが数多の機能の中から使いたい機能を探し選択する必要があり、扱いに不慣れな者にとっては難しく、製品の性能を十分に使いこなすことが難しかった。
【０００７】
また、電化製品の操作に慣れた者が、電化製品の操作に不慣れな者に、電化製品の操作を説明することはよくあることであるが、電化製品の操作に不慣れな者が操作の習熟に至ることは、容易ではなかった。
【０００８】
従来の電化製品は、買換えなどにより機種が変わると、操作方法が変わり、新たに操作方法を覚える必要があった。
これは、使用者にとっては負担となっていた。
【０００９】
本発明は、電化製品の操作に不慣れな者が製品の性能を十分に使いこなすことができるよう、電化製品の操作に慣れた者が簡易な方法を準備できるようにし、電化製品の操作の慣れた者と同様の操作結果を得ることを可能とし、且つ、記憶媒体に制御情報を、１つのみ、もしくは互換関係にある情報１種類のみ、に限定して書込みできるようにし、使用者が用いる制御情報を機械上で選択する必要をなくす、ことを目的としている。
【００１０】
また、買換え前の電化製品の制御に関する情報から、互換情報を基に、買換え後の電化製品の制御に関する情報を容易に得ることができるようにし、買い替えなどによる使用者の負担を減らすことも目的としている。
【００１１】
また、新たに製品を購入（取得）する際に使用している機能から製品を探せるようにし、使用者が製品を探す際の負担を減らすことを目的としている。
【課題を解決するための手段】
【００１２】
課題を解決するための請求項１記載の電化製品は、電化製品を制御するための情報である制御情報を記憶媒体に書込むことができ、書き込む制御情報の数を１つに限定することができる電化製品であって、電化製品を操作するための操作手段と、電化製品の制御に関する情報としての制御情報、を記憶するための記憶手段と、情報を処理するための情報の処理手段と、情報を記憶媒体に書き込むための情報の書込み手段と、情報を記憶媒体から読み込むための情報の読込手段と、を具備し、処理手段が、読込手段を用いて記憶媒体から情報を読み込むステップと、読み込んだ情報を基に制御情報が記憶媒体に記憶されているか否かを確認するステップと、記憶媒体に制御情報が記憶されている場合は、記憶媒体に制御情報の書込みを行わないステップと、記憶媒体に制御情報が記憶されていない場合は、記憶媒体に書込み手段を用いて制御情報の書込みを行うステップと、を実行できる、ことを特徴としている。
【００１３】
課題を解決するための請求項２記載の電化製品は、電化製品の機種の変更後、変更前の機種で使用していた機能と同様の機能を、変更後の機種でも同様の方法で使用できるように、互換関係にある制御情報を抽出し書込み可能な電化製品であって、電化製品の制御に関する情報としての制御情報、を記憶するための記憶手段と、情報を処理するための情報の処理手段と、情報を記憶媒体に書き込むための情報の書込み手段と、情報を記憶媒体から読み込むための情報の読込手段と、を具備し、記憶手段に、制御情報と、互換関係にある制御情報を抽出するための情報としての互換情報と、を予め記憶し、処理手段が、記憶媒体から読込手段を用いて制御情報を読込むステップと、読み込んだ制御情報と、記憶手段に記憶されている互換情報と、を基に、互換関係にある制御情報を記憶手段から抽出するステップと、書込み手段を用いて、抽出した互換関係にある制御情報を記憶媒体に書込むステップと、を実行できることを特徴としている。
【００１４】
課題を解決するための請求項３記載の電化製品は、電化製品の機種の変更後、変更前の機種で使用していた機能と同様の機能を、変更後の機種でも同様の方法で使用できるように、互換関係にある制御情報を抽出し制御可能な電化製品であって、電化製品の制御に関する情報としての制御情報、を記憶するための記憶手段と、情報を処理するための情報の処理手段と、情報を記憶媒体に書き込むための情報の書込み手段と、情報を記憶媒体から読み込むための情報の読込手段と、を具備し、記憶手段に、制御情報と、互換関係にある制御情報を抽出するための情報としての互換情報と、を予め記憶し、処理手段が、記憶媒体から読込手段を用いて制御情報を読込むステップと、読み込んだ制御情報と、記憶手段に記憶されている互換情報と、を基に、互換関係にある制御情報を記憶手段から抽出するステップと、抽出した制御情報を基に制御を行うステップと、を実行できることを特徴としている。
【００１５】
課題を解決するための請求項４記載の電化製品は、電化製品の機種の変更後、変更前の機種で使用していた機能と同様の機能を、変更後の機種でも同様の方法で使用できるように、互換関係にある制御情報を抽出し書込み可能な電化製品であって、電化製品の制御に関する情報としての制御情報、を記憶するための記憶手段と、情報を処理するための情報の処理手段と、情報を記憶媒体に書き込むための情報の書込み手段と、情報を記憶媒体から読み込むための情報の読込手段と、を具備し、記憶手段に、制御情報と、互換関係にある制御情報を抽出するための情報としての互換情報と、を予め記憶し、処理手段が、読込手段を用いて記憶媒体から制御情報を読み込むステップと、読み込んだ制御情報が対応する制御情報であるか確認するステップと、読み込んだ制御情報が対応する制御情報であった場合は、制御情報を基に電化製品の制御を行うステップと、読み込んだ制御情報が対応する制御情報でなかった場合は、読み込んだ制御情報と、互換情報と、を基に互換関係にある制御情報を抽出し、抽出した制御情報を書込み手段を用いて記憶媒体に書込むステップと、を実行できることを特徴としている。
【００１６】
課題を解決するための請求項５記載の電化製品は、電化製品の機種の変更後、変更前の機種で使用していた機能と同様の機能を、変更後の機種でも同様の方法で使用できるように、互換関係にある制御情報を抽出し制御可能な電化製品であって、電化製品の制御に関する情報としての制御情報、を記憶するための記憶手段と、情報を処理するための情報の処理手段と、情報を記憶媒体に書き込むための情報の書込み手段と、情報を記憶媒体から読み込むための情報の読込手段と、を具備し、記憶手段に、制御情報と、互換関係にある制御情報を抽出するための情報としての互換情報と、を予め記憶し、処理手段が、読込手段を用いて記憶媒体から制御情報を読み込むステップと、読み込んだ制御情報が対応する制御情報であるか確認するステップと、読み込んだ制御情報が対応する制御情報であった場合は、制御情報を基に電化製品の制御を行うステップと、読み込んだ制御情報が対応する制御情報でなかった場合は、読み込んだ制御情報と、互換情報と、を基に互換関係にある制御情報を抽出し、抽出した制御情報を基に制御を行うステップと、を実行できることを特徴としている。
【００１７】
課題を解決するための請求項６記載の電化製品は、電化製品を制御するための情報である制御情報を記憶媒体に書込むことができ、書き込む制御情報の種類を１種類に限定することができる電化製品であって、電化製品を操作するための操作手段と、電化製品の制御に関する情報としての制御情報、を記憶するための記憶手段と、情報を処理するための情報の処理手段と、情報を記憶媒体に書き込むための情報の書込み手段と、情報を記憶媒体から読み込むための情報の読込手段と、を具備し、記憶手段に、制御情報と、制御情報の互換情報と、を予め記憶し、制御情報を記憶媒体に書き込む際に処理手段が、読込手段を用いて記憶媒体から情報を読み込むステップと、書き込む制御情報以外の制御情報が記憶媒体に記憶されているかどうかを確認するステップと、記憶されていない場合は制御情報を前記書込み手段を用いて記憶媒体に書込むステップと、記憶されている場合は、記憶されている情報が書き込む制御情報と互換関係にあるかを確認するステップと、互換関係にある場合は制御情報を前記書込み手段を用いて記憶媒体に書込むステップと、互換関係にない場合は書込みを行わないステップと、を実行できることを特徴としている。
【００１８】
課題を解決するための請求項７記載の電化製品は、請求項１、請求項２、請求項３、請求項４、の少なくとも１つの電化製品において、磁力により接点のオンとオフを切り替える切換え手段を具備し、切換え手段の動作と連動して制御情報の読み込みを開始することを特徴としている。
【００１９】
課題を解決するための請求項８記載の製品情報の抽出表示装置は、使用している電化製品の機能から製品情報を抽出し表示できる装置であって、情報を記憶するための記憶手段と、情報を処理するための情報の処理手段と、記憶媒体から情報を読み込むための情報の読込手段と、情報を表示するための情報の表示手段と、からなり、記憶媒体から読み込んだ制御情報を基に製品情報の抽出を行うステップと、抽出によって得た製品情報を表示手段を用いて表示するステップと、を実行できることを特徴としている。
【００２０】
課題を解決するための請求項９記載の製品情報の抽出、表示方法は、使用している電化製品の機能から製品情報を抽出し表示する方法であって、情報を記憶するための記憶手段と、情報を処理するための情報の処理手段と、記憶媒体から情報を読み込むための情報の読込手段と、情報を表示するための情報の表示手段と、からなる製品情報の抽出表示装置によってなされ、記憶媒体から読み込んだ制御情報を基に製品情報の抽出を行うステップと、抽出によって得た製品情報を表示手段を用いて表示するステップと、を含むことを特徴としている。
【００２１】
課題を解決するための請求項１０記載の制御情報の書込み装置は、使用している電化製品の機能から製品情報を抽出し書込みできる装置であって、情報を記憶するための記憶手段と、情報を処理するための情報の処理手段と、記憶媒体から情報を読み込むための情報の読込手段と、記憶媒体に情報を書き込むための情報の書込み手段と、からなり、記憶媒体から読み込んだ制御情報を基に互換関係にある制御情報の抽出を行うステップと、抽出によって得た互換関係にある制御情報を記憶媒体に書き込むステップと、を実行できることを特徴としている。
【発明の効果】
【００２２】
上述したように本発明の電化製品は、電化製品の操作に慣れた者が、電化製品の操作の結果としての制御情報を記憶媒体に書き込む（保存する）ことができ、電化製品の操作に不慣れな者が、制御情報が書き込まれている記憶媒体を用いることで電化製品の操作の慣れた者と同様の操作結果を得ることが可能となり、製品の性能を十分に使いこなすことが可能となる。
【００２３】
上述したように本発明の電化製品は、記憶媒体に制御情報を、１つのみ書込みもしくは互換関係にある情報１種類のみを書込みすることができ、使用者が用いる制御情報を機械上で選択する必要が無くなり記憶媒体を電化製品にセットするだけで目的の結果を得ることができるようになる。
【００２４】
上述したように本発明の電化製品は、買換え前の電化製品の制御に関する情報から、互換情報を基に、買換え後の電化製品の制御に関する情報を容易に得ることができるようになり、買い替えなどによる使用者の負担を減らすことができ、販売の抑止力を軽減することができる。
【００２５】
上述したように本発明の製品情報の抽出表示装置は、新たに製品を購入（取得）する際に使用している機能から製品を探すことができ、使用者が製品を探す際の負担を減らすことができる。
【発明を実施するための形態】
【００２６】
書込み手段と、読込み手段と、操作手段と、情報の処理手段と、情報の記憶手段と、から、記憶媒体に制御情報を書込み可能なように構成し、電化製品に具備する。書込み手段と読込手段は１つの物として構成し、書込み/読込手段とすることが望ましい。
【００２７】
書込み手段は、電化製品を制御するための情報としての制御情報を、記憶媒体に書込む（保存する、記憶する）ための物である。書き込み手段は周知の物があり、最適な物を用いればよく、詳細な説明を省略するが、例えば、周知の物としてICカードライタ、メモリカードライタ、ＵＳＢメモリライタ、ディスクドライブ、ＭＯ，などがある。書込み手段の種類により書込み可能な状態が異なるが、説明の便宜上、書込み手段による情報の書き込みが可能な状態にすることを、以下、書込み手段にセットする、とする。
【００２８】
書込み手段にセットする、の例としては、書込み手段が非接触型の書込み手段の場合は書込み位置に記憶媒体を持っていき書込みを待つ、書込み手段が接触型の書込み手段の場合は記憶媒体を書込み手段に接続し書込みを待つ、ようにすればよい。
【００２９】
読込手段は、情報を、記憶媒体から読み込むための物である。読込手段は周知の物があり、最適な物を用いればよく、詳細な説明を省略するが、例えば、周知の物としてＩＣカードリーダ、メモリカードリーダ、ＵＳＢメモリリーダ、ディスクドライブ、ＭＯ、などがある。読込手段の種類により書込み可能な状態が異なるが、説明の便宜上、読込手段による情報の読み込みが可能な状態にすることを、以下、読込手段にセットする、とする。
【００３０】
読込手段にセットする、の例としては、読込手段が非接触型の書込み手段の場合は読込位置に記憶媒体を持っていき読み込みを待つ、読込手段が接触型の読込手段の場合は記憶媒体を読込手段に接続し読み込みを待つ、ようにすればよい。
【００３１】
情報の処理手段は、電化製品の制御に関する情報の処理を行うための物である。情報の処理手段は周知の物があり、最適な物を用いればよく、詳細な説明を省略するが、例えば、周知のものとしてＣＰＵ（制御/演算装置）、ＭＰＵ（制御/演算装置）などがある。
【００３２】
情報の記憶手段は、制御情報を記憶するための物である。情報の記憶手段は周知の物があり、最適な物を用いればよく、詳細な説明を省略するが、例えば、周知の物としてメモリ、記憶装置、主記憶装置、補助記憶装置、ハードディスク、などがある。
【００３３】
記憶媒体は、電化製品の記憶手段とは別に制御情報を記憶するための物である。記憶媒体は周知の物があり、最適な物を用いればよく、詳細な説明を省略するが、例えば、周知の物としてＩＣカード、メモリカード、ＵＳＢメモリ、光ディスク、ＭＯ、などがある。
【００３４】
操作手段は、電化製品の操作を行うための物である。操作手段は周知の物があり、電化製品に応じて最適な物を用いればよく、詳細な説明を省略するが、例えば、周知の物として、スイッチ、リモートコントローラー、タッチパネル、キーボードなどがある。
操作手段を用いて操作を行い所定の制御および情報の処理を実行する方法は周知であり、本発明の特徴とする部分では無く省略するが、操作に応じて所定の制御および情報の処理が行われるのであれば形状や構成を限定する物ではない。このときの制御および情報の処理などは、情報の処理手段が制御および処理し、制御および処理のためのプログラムは予め記憶手段に記憶しておく。
【００３５】
制御情報は、電化製品を制御するためのプログラムや、電化製品を制御するためのプログラムを選択するためのキー情報や、など制御情報を読み込んだ電化製品が、所定の動作を行うことができる物であればよい。
【００３６】
制御情報をプログラムとする場合は、操作に応じてどのプログラムを出力(書込み)するか、を予め電化製品の記憶手段に記憶しておき、操作に応じたプログラムを出力（書込み）する。
【００３７】
制御情報をキー情報とする場合は、操作に応じてどのキー情報を出力するか、と、キー情報を読み込んだ際どのプログラムを実行するか、と、を予め記憶手段に記憶しておき、操作に応じたキー情報の出力、と、読み込んだキー情報に応じたプログラムの実行、とを行えるようにする。また、キー情報に電化製品の種類や型番を特定するための情報を含むようにし、より細かにプログラムとの対応関係を設定しても良い。キー情報は識別子のような情報で良い。例えば、キー情報をＡ１２３４５対応するプログラムがプログラムＡ、キー情報をＢ５６７８９対応するプログラムがプログラムＢのようにキー情報毎に対応するプログラムを予め設定しておく。
【００３８】
電化製品をプログラムの実行によって制御する、方法、手段、は本発明の特徴とする部分ではなく周知であり詳細な説明は省略するが、電化製品の種類に応じて最適なものを用いればよい。
【００３９】
制御情報の出力の流れの一例を以下に説明する。
１）   使用者は、出力したい制御情報に応じた操作を行う。
２）   電化製品の情報の処理手段は、操作に応じた制御情報を記憶手段から抽出する。
３）   使用者は、記憶媒体を書込み手段にセットする。
４）   電化製品の情報の処理手段は、書込み手段を用いて、抽出した制御情報を記憶媒体に書き込む（記憶する）。
【００４０】
また、表示手段を具備し、書き込む内容を確認した後に書込みの処理ができるようにすることがより望ましい。この場合、表示手段の内容で良い場合に書込み処理を開始する場合は開始するための操作を行い、表示手段の内容では良くない場合に書込み処理を中止する場合は中止するための操作を行う。
この場合における制御情報の出力の流れの一例を以下に説明する。
１）   使用者は、出力したい制御情報に応じた操作を行う。
２）   情報の処理手段は、操作に応じた制御情報を記憶手段から抽出する。
３）   情報の処理手段は、抽出した制御情報によって得られる結果を、表示手段を用いて表示する。
４）   使用者は、表示を確認する。
５）   使用者は、表示の確認の結果、書込みを行う場合は、記憶媒体を書込み手段にセットし、操作手段を用いて開始するための操作を行い、書込みを開始する。
６）   使用者は、表示の確認の結果、書込みを行わない場合は、操作手段を用いて中止するための操作を行い、書込みを中止する。
７）   情報の処理手段は、開始するための操作が行われた場合は書込み手段を用いて制御情報を記憶媒体に書き込む。中止のための操作が行われた場合は書込みを中止し、情報の処理を終了する。
【００４１】
表示手段は、情報を表示するための物である。表示手段は周知の物があり電化製品に応じて最適な物を用いればよく、詳細な説明を省略するが、例えば周知のものとしてディスプレイ、液晶ディスプレイ、有機ＥＬディスプレイ、プラズマディスプレイ、３Ｄディスプレイ、タッチパネル、などがある。
【実施例１】
【００４２】
発明を実施するための形態記載の電化製品において、読込手段により記憶媒体から情報を読み込むことで記憶媒体に制御情報が記憶されていないかを確認し、記憶媒体に制御情報が記憶されていない場合にのみ書込み手段による制御情報の書込みを行うようにし、記憶媒体に書き込む制御情報の数を１つのみに限定する。
【００４３】
実施例１における制御情報の出力の流れの一例を以下に説明する。
１）   使用者は、書込みたい制御情報に応じた操作を行う。
２）   情報の処理手段は、操作に応じた制御情報を記憶手段から抽出する。
３）   使用者は、記憶媒体を書込み/読込手段にセットする。
４）   情報の処理手段は、読込手段を用いて、記憶媒体の情報を読込、制御情報が記憶されているかどうかを確認する。
５）   情報の処理手段は、確認の結果、記憶媒体に制御情報が記憶されていない場合、制御情報の書込み手段を用いて、抽出した制御情報を記憶媒体に書き込む。
６）   情報の処理手段は、確認の結果、記憶媒体に制御情報が記憶されている場合、書込み処理を中止する。
【実施例２】
【００４４】
発明を実施するための形態記載の電化製品において、予め互換情報を記憶手段に記憶しておき、読み込んだ制御情報と、互換情報と、を基に制御情報を抽出し、抽出した制御情報の書込みを行う。
【００４５】
互換情報は電化製品の買換えなどにより機種が変わり、記憶媒体から制御情報を読み込んだ際、読み込んだ制御情報が買換え後の電化製品に対応する制御情報では無い場合に、互換関係にある、制御情報、もしくは、プログラム、を抽出するための情報であり、予め制御情報毎に互換情報を決め記憶手段に記憶しておく。
【００４６】
互換情報は互換関係にある制御情報を抽出するための対応表のような情報である。説明の便宜上、機種が変わる前の電化製品を旧電化製品、機種が変わった後の電化製品を新電化製品、とし、旧電化製品の制御情報を旧制御情報、新電化製品の制御情報を新制御情報、とする。例えば、読み込んだ旧制御情報がキー情報であり識別子Ａ１２３４５（旧制御情報に対応する旧電化製品のプログラムがプログラムＡ）の場合、互換関係にある新制御情報は、キー情報として識別子ＡＡ１２３４５である、もしくはプログラムＡＡである、といったような情報である。読み込んだ旧制御情報がプログラムでありプログラムＡの場合は、互換関係にある新制御情報は、キー情報としてＡＡ１２３４５である、もしくはプログラムＡＡである、といったような情報である。
【００４７】
実施例２において新電化製品の処理手段は読込手段を用いて読み込んだ旧制御情報と、互換情報と、を基に読み込んだ旧制御情報に対応する新制御情報を抽出し、記憶媒体に抽出した新制御情報の書込みを行う。
【００４８】
実施例２における情報の処理手段の処理の流れを説明する。
１）    使用者は、記憶媒体を書込み/読込手段にセットする。
２）    情報の処理手段は、読込手段を用いて、記憶媒体から制御情報を読み込む。
３）    情報の処理手段は、読み込んだ制御情報と、互換情報と、を基に、互換関係にある制御情報を抽出する。
４）    情報の処理手段は、書込み手段を用いて抽出した制御情報を記憶媒体に書込む。
【実施例３】
【００４９】
発明を実施するための形態記載の電化製品において、予め互換情報を記憶手段に記憶しておき、読み込んだ制御情報と、互換情報と、を基に制御情報を抽出し、抽出した制御情報を基に電化製品の制御を行う。
【００５０】
実施例３において新電化製品の処理手段は読込手段を用いて読み込んだ旧制御情報と、互換情報と、を基に読み込んだ旧制御情報に対応する新制御情報を抽出し、抽出した新制御情報を基に電化製品の制御を行う。
【００５１】
実施例３における情報の処理手段の処理の流れを説明する。
１）    使用者は、記憶媒体を書込み/読込手段にセットする。
２）    情報の処理手段は、読込手段を用いて、記憶媒体から制御情報を読み込む。
３）    情報の処理手段は、読み込んだ制御情報と、互換情報と、を基に、互換関係にある制御情報を抽出する。
４）    情報の処理手段は、抽出した制御情報を基に電化製品の制御を行う。
【実施例４】
【００５２】
発明を実施するための形態記載の電化製品において、予め互換情報を記憶手段に記憶しておき、読み込んだ制御情報と互換情報とを基に制御情報を抽出し、抽出した制御情報の書込みを行う。
【００５３】
実施例４において電化製品の処理手段は読込手段を用いて読み込んだ制御情報が対応する制御情報か確認し、対応する制御情報ではない場合は、互換情報を基に読み込んだ制御情報に対応する制御情報を抽出し、記憶媒体に抽出した制御情報の書込みを行う。
【００５４】
実施例４における情報の処理手段の処理の流れを説明する。
１）    使用者は、記憶媒体を書込み/読込手段にセットする。
２）    情報の処理手段は、読込手段を用いて、記憶媒体から制御情報を読み込む。
３）    情報の処理手段は、読み込んだ制御情報が対応する制御情報であるか確認する。
４）    情報の処理手段は、読み込んだ制御情報が対応する制御情報であった場合は、制御情報を基に電化製品の制御を行う、
５）    情報の処理手段は、読み込んだ制御情報が対応する制御情報でなかった場合は、読み込んだ制御情報と、互換情報と、を基に、互換関係にある制御情報を抽出する。
６）    情報の処理手段は、書込み手段を用いて抽出した制御情報を記憶媒体に書込む。
【実施例５】
【００５５】
発明を実施するための形態記載の電化製品において、予め互換情報を記憶手段に記憶しておき、読み込んだ制御情報と互換情報とを基に制御情報を抽出し、抽出した制御情報を基に電化製品の制御を行う。
【００５６】
実施例５において電化製品の処理手段は読込手段を用いて読み込んだ制御情報が対応する制御情報か確認し、対応する制御情報ではない場合は、互換情報を基に読み込んだ制御情報に対応する制御情報を抽出し、抽出した制御情報を基に電化製品の制御を行う。
【００５７】
実施例５における情報の処理手段の処理の流れを説明する。
１）    使用者は、記憶媒体を書込み/読込手段にセットする。
２）    情報の処理手段は、読込手段を用いて、記憶媒体から制御情報を読み込む。
３）    情報の処理手段は、読み込んだ制御情報が対応する制御情報であるか確認する。
４）    情報の処理手段は、読み込んだ制御情報が対応する制御情報であった場合は、制御情報を基に電化製品の制御を行う、
５）    情報の処理手段は、読み込んだ制御情報が対応する制御情報でなかった場合は、読み込んだ制御情報と、互換情報と、を基に、互換関係にある制御情報を抽出する。
６）    情報の処理手段は抽出した制御情報を基に電化製品の制御を行う。
【実施例６】
【００５８】
発明を実施するための形態記載の電化製品において、予め互換情報を記憶手段に記憶しておき、制御情報を書き込む際に、書き込む制御情報以外の制御情報が記憶媒体に記憶されているか確認し、記憶されていない場合は制御情報の書込みを行い、記憶されている場合は記憶されている制御情報が書き込む制御情報と互換関係にあるか確認し、互換情報にある場合は制御情報の書込みを行うようにし、記憶媒体に書き込む制御情報を１種類に限定する。
【００５９】
実施例６における情報の処理手段の処理の流れを説明する。
１）    使用者は、書込みたい制御情報に応じた操作を行う。
２）    情報の処理手段は、操作に応じた制御情報を記憶手段から抽出する。
３）    使用者は、記憶媒体を書込み/読込手段にセットする。
４）    情報の処理手段は、読込手段を用いて、記憶媒体から情報を読み込み、制御情報が記憶媒体に記憶されているかどうかを確認する。
５）    情報の処理手段は、確認の結果、制御情報が記憶されていない場合は制御情報の書込みを行う。
６）    情報の処理手段は、確認の結果、制御情報が記憶されている場合は、互換情報を基に、記憶されている情報が抽出した制御情報と互換関係にあるかを確認する。
７）    情報の処理手段は、確認の結果、記憶されている制御情報が抽出した制御情報と互換関係である場合、制御情報の書込みを行う。
８）    情報の処理手段は、確認の結果、記憶されている制御情報が抽出した制御情報と互換関係ではない場合、制御情報の書込みを中止する。
【実施例７】
【００６０】
実施例１、実施例２、実施例３、実施例４、実施例５、実施例６、の電化製品において磁力スイッチを具備し、読込手段の制御情報の読み込みが磁力スイッチと連動して行われるように構成し、記憶媒体に磁力スイッチを動作させるための磁石もしくは磁性体を具備し、記憶媒体を電化製品にセットするだけで、電化製品の電源入力がオンとなり制御が開始されるように構成する。この際、確認のために制御を開始する前に準備状態で待機し開始情報待ちとしても良い。
【００６１】
実施例７における電化製品の制御の流れの一例を以下に説明する。
１）    使用者は、記憶媒体を読込手段にセットする。
２）    磁力スイッチが作動し、情報の処理手段が起動し、情報の処理手段が読込手段を用いて、記憶媒体から制御情報を読み込む。
３）    情報の処理手段は読み込んだ制御情報を基に電化製品の制御を行う。
【実施例８】
【００６２】
製品情報の抽出表示装置を、制御情報の読込手段と、記憶手段と、表示手段と、情報の処理手段と、から、記憶媒体から制御情報を読込み、読み込んだ制御情報を基に製品情報を抽出し表示するように構成する。
【００６３】
製品情報の抽出表示装置は、現在所有している電化製品において、どのような機能を使っているかを基に製品情報を抽出し表示するものである。
【００６４】
実施例８において、記憶手段には予め製品情報を記憶しておくか、ネットワークの接続手段を具備し、ネットワークを介して製品情報を取得し記憶手段に記憶できるようにする。
制御情報毎に、製品情報として、製品の性能などの情報、機能（制御情報）、など製品に関する情報を予め関連づけて記憶しておき、制御情報毎に、製品情報としての、製品の性能などの情報、機能（新制御情報）、など製品に関する情報を抽出できるようにする。
【００６５】
製品情報の表示装置は記憶媒体に記憶されている制御情報を基に、製品情報を抽出し表示する。
【００６６】
実施例８における制御情報の出力の流れの一例を以下に説明する。
１）   記憶媒体を読込手段にセットする。
２）   情報の処理手段は、読込手段を用いて、記憶媒体から制御情報を読み込む。
３）   情報の処理手段は、読み込んだ制御情報を基に製品情報を記憶手段から抽出する。
４）   情報の処理手段は、抽出した製品情報を表示手段を用いて表示する。
【００６７】
また書込み手段を具備し、記憶媒体に機能（新制御情報）を書き込めるようにすることがより望ましい。
【手続補正２】
【補正対象書類名】特許請求の範囲
【補正対象項目名】全文
【補正方法】変更
【補正の内容】
【特許請求の範囲】
【請求項１】
電化製品を制御するための情報である制御情報を記憶媒体に書込むことができ、書き込む制御情報の数を１つに限定することができる電化製品であって、
電化製品を操作するための操作手段と、
電化製品の制御に関する情報としての制御情報、を記憶するための記憶手段と、
情報を処理するための情報の処理手段と、
情報を記憶媒体に書き込むための情報の書込み手段と、
情報を記憶媒体から読み込むための情報の読込手段と、
を具備し、
前記処理手段が、
前記読込手段を用いて記憶媒体から情報を読み込むステップと、
読み込んだ情報を基に制御情報が記憶媒体に記憶されているか否かを確認するステップと、
記憶媒体に制御情報が記憶されている場合は、記憶媒体に制御情報の書込みを行わないステップと、
記憶媒体に制御情報が記憶されていない場合は、記憶媒体に前記書込み手段を用いて制御情報の書込みを行うステップと、
を実行できる、
ことを特徴とする、電化製品。
【請求項２】
電化製品の機種の変更後、変更前の機種で使用していた機能と同様の機能を、変更後の機種でも同様の方法で使用できるように、互換関係にある制御情報を抽出し書込み可能な電化製品であって、
電化製品の制御に関する情報としての制御情報、を記憶するための記憶手段と、
情報を処理するための情報の処理手段と、
情報を記憶媒体に書き込むための情報の書込み手段と、
情報を記憶媒体から読み込むための情報の読込手段と、
を具備し、
前記記憶手段に、制御情報と、互換関係にある制御情報を抽出するための情報としての互換情報と、を予め記憶し、
前記処理手段が、
記憶媒体から前記読込手段を用いて制御情報を読込むステップと、
読み込んだ制御情報と、前記記憶手段に記憶されている互換情報と、を基に、互換関係にある制御情報を前記記憶手段から抽出するステップと、
前記書込み手段を用いて、抽出した互換関係にある制御情報を記憶媒体に書込むステップと、
を実行できることを特徴とする、電化製品。
【請求項３】
電化製品の機種の変更後、変更前の機種で使用していた機能と同様の機能を、変更後の機種でも同様の方法で使用できるように、互換関係にある制御情報を抽出し制御可能な電化製品であって、
電化製品の制御に関する情報としての制御情報、を記憶するための記憶手段と、
情報を処理するための情報の処理手段と、
情報を記憶媒体に書き込むための情報の書込み手段と、
情報を記憶媒体から読み込むための情報の読込手段と、
を具備し、
前記記憶手段に、制御情報と、互換関係にある制御情報を抽出するための情報としての互換情報と、を予め記憶し、
前記処理手段が、
記憶媒体から前記読込手段を用いて制御情報を読込むステップと、
読み込んだ制御情報と、前記記憶手段に記憶されている互換情報と、を基に、互換関係にある制御情報を前記記憶手段から抽出するステップと、
抽出した制御情報を基に制御を行うステップと、
を実行できることを特徴とする、電化製品。
【請求項４】
電化製品の機種の変更後、変更前の機種で使用していた機能と同様の機能を、変更後の機種でも同様の方法で使用できるように、互換関係にある制御情報を抽出し書込み可能な電化製品であって、
電化製品の制御に関する情報としての制御情報、を記憶するための記憶手段と、
情報を処理するための情報の処理手段と、
情報を記憶媒体に書き込むための情報の書込み手段と、
情報を記憶媒体から読み込むための情報の読込手段と、
を具備し、
前記記憶手段に、制御情報と、互換関係にある制御情報を抽出するための情報としての互換情報と、を予め記憶し、
前記処理手段が、
前記読込手段を用いて記憶媒体から制御情報を読み込むステップと、
読み込んだ制御情報が対応する制御情報であるか確認するステップと、
読み込んだ制御情報が対応する制御情報であった場合は、制御情報を基に電化製品の制御を行うステップと、
読み込んだ制御情報が対応する制御情報でなかった場合は、読み込んだ制御情報と、互換情報と、を基に互換関係にある制御情報を抽出し、抽出した制御情報を前記書込み手段を用いて記憶媒体に書込むステップと、
を実行できることを特徴とする、電化製品。
【請求項５】
電化製品の機種の変更後、変更前の機種で使用していた機能と同様の機能を、変更後の機種でも同様の方法で使用できるように、互換関係にある制御情報を抽出し制御可能な電化製品であって、
電化製品の制御に関する情報としての制御情報、を記憶するための記憶手段と、
情報を処理するための情報の処理手段と、
情報を記憶媒体に書き込むための情報の書込み手段と、
情報を記憶媒体から読み込むための情報の読込手段と、
を具備し、
前記記憶手段に、制御情報と、互換関係にある制御情報を抽出するための情報としての互換情報と、を予め記憶し、
前記処理手段が、
前記読込手段を用いて記憶媒体から制御情報を読み込むステップと、
読み込んだ制御情報が対応する制御情報であるか確認するステップと、
読み込んだ制御情報が対応する制御情報であった場合は、制御情報を基に電化製品の制御を行うステップと、
読み込んだ制御情報が対応する制御情報でなかった場合は、読み込んだ制御情報と、互換情報と、を基に互換関係にある制御情報を抽出し、抽出した制御情報を基に制御を行うステップと、
を実行できることを特徴とする、電化製品。
【請求項６】
電化製品を制御するための情報である制御情報を記憶媒体に書込むことができ、書き込む制御情報の種類を１種類に限定することができる電化製品であって、
電化製品を操作するための操作手段と、
電化製品の制御に関する情報としての制御情報、を記憶するための記憶手段と、
情報を処理するための情報の処理手段と、
情報を記憶媒体に書き込むための情報の書込み手段と、
情報を記憶媒体から読み込むための情報の読込手段と、
を具備し、
前記記憶手段に、制御情報と、制御情報の互換情報と、を予め記憶し、
制御情報を記憶媒体に書き込む際に前記処理手段が、
前記読込手段を用いて記憶媒体から情報を読み込むステップと、
書き込む制御情報以外の制御情報が記憶媒体に記憶されているかどうかを確認するステップと、
記憶されていない場合は、制御情報を前記書込み手段を用いて記憶媒体に書込むステップと、
記憶されている場合は、記憶されている情報が書き込む制御情報と互換関係にあるかを確認するステップと、
互換関係にある場合は制御情報を前記書込み手段を用いて記憶媒体に書込むステップと、
互換関係にない場合は書込みを行わないステップと、
を実行できることを特徴とする、電化製品。
【請求項７】
請求項１、請求項２、請求項３、請求項４、の少なくとも１つの電化製品において、
磁力により接点のオンとオフを切り替える切換え手段を具備し、
前記切換え手段の動作と連動して制御情報の読み込みを開始することを特徴とする、
電化製品。
【請求項８】
使用している電化製品の機能から製品情報を抽出し表示できる装置であって、
情報を記憶するための記憶手段と、
情報を処理するための情報の処理手段と、
記憶媒体から情報を読み込むための情報の読込手段と、
情報を表示するための情報の表示手段と、
からなり、
前記処理手段が、
記憶媒体から読み込んだ制御情報を基に製品情報の抽出を行うステップと、
抽出によって得た製品情報を前記表示手段を用いて表示するステップと、
を実行できることを特徴とする、製品情報の抽出表示装置。
【請求項９】
使用している電化製品の機能から製品情報を抽出し表示する方法であって、
情報を記憶するための記憶手段と、
情報を処理するための情報の処理手段と、
記憶媒体から情報を読み込むための情報の読込手段と、
情報を表示するための情報の表示手段と、
からなる製品情報の抽出表示装置によってなされ、
記憶媒体から読み込んだ制御情報を基に製品情報の抽出を行うステップと、
抽出によって得た製品情報を前記表示手段を用いて表示するステップと、
を含むことを特徴とする、製品情報の抽出表示方法。
【請求項１０】
使用している電化製品の機能から製品情報を抽出し書込みできる装置であって、
情報を記憶するための記憶手段と、
情報を処理するための情報の処理手段と、
記憶媒体から情報を読み込むための情報の読込手段と、
記憶媒体に情報を書き込むための情報の書込み手段と、
からなり、
前記処理手段が、
記憶媒体から読み込んだ制御情報を基に互換関係にある制御情報の抽出を行うステップと、
抽出によって得た互換関係にある制御情報を前記書込み手段を用いて記憶媒体に書き込むステップと、
を実行できることを特徴とする、制御情報の抽出書込み装置。
【手続補正書】
【提出日】平成27年3月3日(2015.3.3)
【手続補正１】
【補正対象書類名】手続補正書
【補正対象項目名】手続補正１
【補正方法】変更
【補正の内容】
【手続補正１】
【補正対象書類名】明細書
【補正対象項目名】全文
【補正方法】変更
【補正の内容】
【発明の詳細な説明】
【技術分野】
【０００１】
本発明は、主に、電化製品および電化製品の検索方法に関するものである。
【背景技術】
【０００２】
従来、家電製品および電気制御可能な製品（以下両方を合わせて説明の便宜上電化製品とする）、は周知の制御方法によって制御されている。
（例えば非特許文献１、特許文献２、非特許文献３、非特許文献４、参照）  
【０００３】
電化製品としては周知の物として、映像を表示するためのテレビ、映像を録画するための録画用デッキ、録画された映像を再生するための再生用デッキ、洗濯をするための
洗濯機、乾燥をするための乾燥機、洗濯および乾燥をするための洗濯乾燥機、加熱調理をするための電子レンジ、加熱調理をするためのオーブントースター、パソコン、カメラ、扇風機、ファンヒーター、オイルヒーター、空気清浄機、除湿機、マッサージ機、室温や湿度を調整するためのエアコン、などがあり、上記以外にも周知の物が多くある。
（例えば非特許文献２、非特許文献３、非特許文献４、参照）
また、スマート家電といった、携帯端末を用いて操作可能な電化製品がある。
【先行技術文献】
【非特許文献】
【０００４】
【非特許文献１】門田和雄著、「今日からモノ知りシリーズトコトンやさしい制御の本」日刊工業新聞社出版、２０１１年７月２８日発行、１０‐１５６頁
【非特許文献２】佐藤銀平著、「化学のはたらきシリーズ第１巻「家電製品がわかる１」-アインシュタインの冷蔵庫-」東京書籍株式会社出版、２００８年１月３０日、１２‐２１６頁
【非特許文献３】佐藤銀平著、「化学のはたらきシリーズ第２巻「家電製品がわかる２」-相対性理論で正しく動くＧＰＳ-」東京書籍株式会社出版、２００８年１月３０日、２‐２１７頁
【非特許文献４】安藤龍男発行、「家電製品エンジニア資格生活家電の基礎と製品技術」日本放送出版協会発行、２００１年５月３０日、１‐４３７頁
【発明の概要】
【発明が解決しようとする課題】
【０００５】
電化製品の操作（扱い）は不慣れな者にとっては難しく、製品の性能を十分に使いこなすことができないといった課題があった。
【０００６】
スマート家電は携帯端末による操作を可能とし操作性は向上しているが数多の機能の中から使いたい機能を探し選択する必要があり、扱いに不慣れな者にとっては難しく、製品の性能を十分に使いこなすことが難しかった。
【０００７】
また、電化製品の操作に慣れた者が、電化製品の操作に不慣れな者に、電化製品の操作を説明することはよくあることであるが、電化製品の操作に不慣れな者が操作の習熟に至ることは、容易ではなかった。
【０００８】
従来の電化製品は、買換えなどにより機種が変わると、操作方法が変わり、新たに操作方法を覚える必要があった。
これは、使用者にとっては負担となっていた。
【０００９】
本発明は、電化製品の操作に不慣れな者が製品の性能を十分に使いこなすことができるよう、電化製品の操作に慣れた者が簡易な方法を準備できるようにし、電化製品の操作の慣れた者と同様の操作結果を得ることを可能とし、且つ、記憶媒体に制御情報を、１つのみ、もしくは互換関係にある情報１種類のみ、に限定して書込みできるようにし、使用者が用いる制御情報を機械上で選択する必要をなくす、ことを目的としている。
【００１０】
また、買換え前の電化製品の制御に関する情報から、互換情報を基に、買換え後の電化製品の制御に関する情報を容易に得ることができるようにし、買い替えなどによる使用者の負担を減らすことも目的としている。
【００１１】
また、新たに製品を購入（取得）する際に使用している機能から製品を探せるようにし、使用者が製品を探す際の負担を減らすことを目的としている。
【課題を解決するための手段】
【００１２】
課題を解決するための請求項１記載の電化製品は、電化製品を制御するための情報である制御情報を記憶媒体に書込むことができ、書き込む制御情報の数を１つに限定することができる電化製品であって、電化製品を操作するための操作手段と、電化製品の制御に関する情報としての制御情報、を記憶するための記憶手段と、情報を処理するための情報の処理手段と、情報を記憶媒体に書き込むための情報の書込手段と、情報を記憶媒体から読み込むための情報の読込手段と、を具備し、処理手段が、読込手段を用いて記憶媒体から情報を読み込むステップと、読み込んだ情報を基に制御情報が記憶媒体に記憶されているか否かを確認するステップと、記憶媒体に制御情報が記憶されている場合は、記憶媒体に制御情報の書込みを行わないステップと、記憶媒体に制御情報が記憶されていない場合は、記憶媒体に書込手段を用いて制御情報の書込みを行うステップと、を実行できる、ことを特徴としている。
【００１３】
課題を解決するための請求項２記載の電化製品は、電化製品の機種の変更後、変更前の機種で使用していた機能と同様の機能を、変更後の機種でも同様の方法で使用できるように、互換関係にある制御情報を抽出し書込み可能な電化製品であって、電化製品の制御に関する情報としての制御情報、を記憶するための記憶手段と、情報を処理するための情報の処理手段と、情報を記憶媒体に書き込むための情報の書込手段と、情報を記憶媒体から読み込むための情報の読込手段と、を具備し、記憶手段に、制御情報と、互換関係にある制御情報を抽出するための情報としての互換情報と、を予め記憶し、処理手段が、記憶媒体から読込手段を用いて制御情報を読込むステップと、読み込んだ制御情報と、記憶手段に記憶されている互換情報と、を基に、互換関係にある制御情報を記憶手段から抽出するステップと、書込手段を用いて、抽出した互換関係にある制御情報を記憶媒体に書込むステップと、を実行できることを特徴としている。
【００１４】
課題を解決するための請求項３記載の電化製品は、電化製品の機種の変更後、変更前の機種で使用していた機能と同様の機能を、変更後の機種でも同様の方法で使用できるように、互換関係にある制御情報を抽出し制御可能な電化製品であって、電化製品の制御に関する情報としての制御情報、を記憶するための記憶手段と、情報を処理するための情報の処理手段と、情報を記憶媒体に書き込むための情報の書込手段と、情報を記憶媒体から読み込むための情報の読込手段と、を具備し、記憶手段に、制御情報と、互換関係にある制御情報を抽出するための情報としての互換情報と、を予め記憶し、処理手段が、記憶媒体から読込手段を用いて制御情報を読込むステップと、読み込んだ制御情報と、記憶手段に記憶されている互換情報と、を基に、互換関係にある制御情報を記憶手段から抽出するステップと、抽出した制御情報を基に制御を行うステップと、を実行できることを特徴としている。
【００１５】
課題を解決するための請求項４記載の電化製品は、電化製品の機種の変更後、変更前の機種で使用していた機能と同様の機能を、変更後の機種でも同様の方法で使用できるように、互換関係にある制御情報を抽出し書込み可能な電化製品であって、電化製品の制御に関する情報としての制御情報、を記憶するための記憶手段と、情報を処理するための情報の処理手段と、情報を記憶媒体に書き込むための情報の書込手段と、情報を記憶媒体から読み込むための情報の読込手段と、を具備し、記憶手段に、制御情報と、互換関係にある制御情報を抽出するための情報としての互換情報と、を予め記憶し、処理手段が、読込手段を用いて記憶媒体から制御情報を読み込むステップと、読み込んだ制御情報が対応する制御情報であるか確認するステップと、読み込んだ制御情報が対応する制御情報であった場合は、制御情報を基に電化製品の制御を行うステップと、読み込んだ制御情報が対応する制御情報でなかった場合は、読み込んだ制御情報と、互換情報と、を基に互換関係にある制御情報を抽出し、抽出した制御情報を書込手段を用いて記憶媒体に書込むステップと、を実行できることを特徴としている。
【００１６】
課題を解決するための請求項５記載の電化製品は、電化製品の機種の変更後、変更前の機種で使用していた機能と同様の機能を、変更後の機種でも同様の方法で使用できるように、互換関係にある制御情報を抽出し制御可能な電化製品であって、電化製品の制御に関する情報としての制御情報、を記憶するための記憶手段と、情報を処理するための情報の処理手段と、情報を記憶媒体に書き込むための情報の書込手段と、情報を記憶媒体から読み込むための情報の読込手段と、を具備し、記憶手段に、制御情報と、互換関係にある制御情報を抽出するための情報としての互換情報と、を予め記憶し、処理手段が、読込手段を用いて記憶媒体から制御情報を読み込むステップと、読み込んだ制御情報が対応する制御情報であるか確認するステップと、読み込んだ制御情報が対応する制御情報であった場合は、制御情報を基に電化製品の制御を行うステップと、読み込んだ制御情報が対応する制御情報でなかった場合は、読み込んだ制御情報と、互換情報と、を基に互換関係にある制御情報を抽出し、抽出した制御情報を基に制御を行うステップと、を実行できることを特徴としている。
【００１７】
課題を解決するための請求項６記載の電化製品は、電化製品を制御するための情報である制御情報を記憶媒体に書込むことができ、書き込む制御情報の種類を１種類に限定することができる電化製品であって、電化製品を操作するための操作手段と、電化製品の制御に関する情報としての制御情報、を記憶するための記憶手段と、情報を処理するための情報の処理手段と、情報を記憶媒体に書き込むための情報の書込手段と、情報を記憶媒体から読み込むための情報の読込手段と、を具備し、記憶手段に、制御情報と、制御情報の互換情報と、を予め記憶し、制御情報を記憶媒体に書き込む際に処理手段が、読込手段を用いて記憶媒体から情報を読み込むステップと、書き込む制御情報以外の制御情報が記憶媒体に記憶されているかどうかを確認するステップと、記憶されていない場合は制御情報を前記書込手段を用いて記憶媒体に書込むステップと、記憶されている場合は、記憶されている情報が書き込む制御情報と互換関係にあるかを確認するステップと、互換関係にある場合は制御情報を前記書込手段を用いて記憶媒体に書込むステップと、互換関係にない場合は書込みを行わないステップと、を実行できることを特徴としている。
【００１８】
課題を解決するための請求項７記載の電化製品は、請求項１、請求項２、請求項３、請求項４、の少なくとも１つの電化製品において、磁力により接点のオンとオフを切り替える切換え手段を具備し、切換え手段の動作と連動して制御情報の読み込みを開始することを特徴としている。
【００１９】
課題を解決するための請求項８記載の製品情報の抽出表示装置は、使用している電化製品の機能から製品情報を抽出し表示できる装置であって、情報を記憶するための記憶手段と、情報を処理するための情報の処理手段と、記憶媒体から情報を読み込むための情報の読込手段と、情報を表示するための情報の表示手段と、からなり、記憶媒体から読み込んだ制御情報を基に製品情報の抽出を行うステップと、抽出によって得た製品情報を表示手段を用いて表示するステップと、を実行できることを特徴としている。
【００２０】
課題を解決するための請求項９記載の製品情報の抽出、表示方法は、使用している電化製品の機能から製品情報を抽出し表示する方法であって、情報を記憶するための記憶手段と、情報を処理するための情報の処理手段と、記憶媒体から情報を読み込むための情報の読込手段と、情報を表示するための情報の表示手段と、からなる製品情報の抽出表示装置によってなされ、記憶媒体から読み込んだ制御情報を基に製品情報の抽出を行うステップと、抽出によって得た製品情報を表示手段を用いて表示するステップと、を含むことを特徴としている。
【００２１】
課題を解決するための請求項１０記載の制御情報の書込み装置は、使用している電化製品の機能から製品情報を抽出し書込みできる装置であって、情報を記憶するための記憶手段と、情報を処理するための情報の処理手段と、記憶媒体から情報を読み込むための情報の読込手段と、記憶媒体に情報を書き込むための情報の書込手段と、からなり、記憶媒体から読み込んだ制御情報を基に互換関係にある制御情報の抽出を行うステップと、抽出によって得た互換関係にある制御情報を記憶媒体に書き込むステップと、を実行できることを特徴としている。
【発明の効果】
【００２２】
上述したように本発明の電化製品は、電化製品の操作に慣れた者が、電化製品の操作の結果としての制御情報を記憶媒体に書き込む（保存する）ことができ、電化製品の操作に不慣れな者が、制御情報が書き込まれている記憶媒体を用いることで電化製品の操作の慣れた者と同様の操作結果を得ることが可能となり、製品の性能を十分に使いこなすことが可能となる。
【００２３】
上述したように本発明の電化製品は、記憶媒体に制御情報を、１つのみ書込みもしくは互換関係にある情報１種類のみを書込みすることができ、使用者が用いる制御情報を機械上で選択する必要が無くなり記憶媒体を電化製品にセットするだけで目的の結果を得ることができるようになる。
【００２４】
上述したように本発明の電化製品は、買換え前の電化製品の制御に関する情報から、互換情報を基に、買換え後の電化製品の制御に関する情報を容易に得ることができるようになり、買い替えなどによる使用者の負担を減らすことができ、販売の抑止力を軽減することができる。
【００２５】
上述したように本発明の製品情報の抽出表示装置は、新たに製品を購入（取得）する際に使用している機能から製品を探すことができ、使用者が製品を探す際の負担を減らすことができる。
【発明を実施するための形態】
【００２６】
書込手段と、読込み手段と、操作手段と、情報の処理手段と、情報の記憶手段と、から、記憶媒体に制御情報を書込み可能なように構成し、電化製品に具備する。書込手段と読込手段は１つの物として構成し、書込手段/読込手段とすることが望ましい。
【００２７】
書込手段は、電化製品を制御するための情報としての制御情報を、記憶媒体に書込む（保存する、記憶する）ための物である。書き込み手段は周知の物があり、最適な物を用いればよく、詳細な説明を省略するが、例えば、周知の物としてICカードライタ、メモリカードライタ、ＵＳＢメモリライタ、ディスクドライブ、ＭＯ，などがある。書込手段の種類により書込み可能な状態が異なるが、説明の便宜上、書込手段による情報の書き込みが可能な状態にすることを、以下、書込手段にセットする、とする。
【００２８】
書込手段にセットする、の例としては、書込手段が非接触型の書込手段の場合は書込み位置に記憶媒体を持っていき書込みを待つ、書込手段が接触型の書込手段の場合は記憶媒体を書込手段に接続し書込みを待つ、ようにすればよい。
【００２９】
読込手段は、情報を、記憶媒体から読み込むための物である。読込手段は周知の物があり、最適な物を用いればよく、詳細な説明を省略するが、例えば、周知の物としてＩＣカードリーダ、メモリカードリーダ、ＵＳＢメモリリーダ、ディスクドライブ、ＭＯ、などがある。読込手段の種類により書込み可能な状態が異なるが、説明の便宜上、読込手段による情報の読み込みが可能な状態にすることを、以下、読込手段にセットする、とする。
【００３０】
読込手段にセットする、の例としては、読込手段が非接触型の書込手段の場合は読込位置に記憶媒体を持っていき読み込みを待つ、読込手段が接触型の読込手段の場合は記憶媒体を読込手段に接続し読み込みを待つ、ようにすればよい。
【００３１】
情報の処理手段は、電化製品の制御に関する情報の処理を行うための物である。情報の処理手段は周知の物があり、最適な物を用いればよく、詳細な説明を省略するが、例えば、周知のものとしてＣＰＵ（制御/演算装置）、ＭＰＵ（制御/演算装置）などがある。
【００３２】
情報の記憶手段は、情報を記憶するための物である。情報の記憶手段は周知の物があり、最適な物を用いればよく、詳細な説明を省略するが、例えば、周知の物としてメモリ、記憶装置、主記憶装置、補助記憶装置、ハードディスク、などがある。
【００３３】
記憶媒体は、電化製品の記憶手段とは別に制御情報を記憶するための物である。記憶媒体は周知の物があり、最適な物を用いればよく、詳細な説明を省略するが、例えば、周知の物としてＩＣカード、メモリカード、ＵＳＢメモリ、光ディスク、ＭＯ、などがある。
【００３４】
操作手段は、電化製品の操作を行うための物である。操作手段は周知の物があり、電化製品に応じて最適な物を用いればよく、詳細な説明を省略するが、例えば、周知の物として、スイッチ、リモートコントローラー、タッチパネル、キーボードなどがある。
操作手段を用いて操作を行い所定の制御および情報の処理を実行する方法は周知であり、本発明の特徴とする部分では無く省略するが、操作に応じて所定の制御および情報の処理が行われるのであれば形状や構成を限定する物ではない。このときの制御および情報の処理などは、情報の処理手段が制御および処理し、制御および処理のためのプログラムは予め記憶手段に記憶しておく。
【００３５】
制御情報は、電化製品を制御するためのプログラムや、電化製品を制御するためのプログラムを選択するためのキー情報や、など制御情報を読み込んだ電化製品が、所定の動作を行うことができる物であればよい。
【００３６】
制御情報をプログラムとする場合は、操作に応じてどのプログラムを出力(書込み)するか、を予め電化製品の記憶手段に記憶しておき、操作に応じたプログラムを出力（書込み）する。
【００３７】
制御情報をキー情報とする場合は、操作に応じてどのキー情報を出力するか、と、キー情報を読み込んだ際どのプログラムを実行するか、と、を予め記憶手段に記憶しておき、操作に応じたキー情報の出力、と、読み込んだキー情報に応じたプログラムの実行、とを行えるようにする。また、キー情報に電化製品の種類や型番を特定するための情報を含むようにし、より細かにプログラムとの対応関係を設定しても良い。キー情報は識別子のような情報で良い。例えば、キー情報をＡ１２３４５対応するプログラムがプログラムＡ、キー情報をＢ５６７８９対応するプログラムがプログラムＢのようにキー情報毎に対応するプログラムを予め設定しておく。
【００３８】
電化製品をプログラムの実行によって制御する、方法、手段、は本発明の特徴とする部分ではなく周知であり詳細な説明は省略するが、電化製品の種類に応じて最適なものを用いればよい。
【００３９】
制御情報の出力の流れの一例を以下に説明する。
１）   使用者は、出力したい制御情報に応じた操作を行う。
２）   電化製品の情報の処理手段は、操作に応じた制御情報を記憶手段から抽出する。
３）   使用者は、記憶媒体を書込手段にセットする。
４）   電化製品の情報の処理手段は、書込手段を用いて、抽出した制御情報を記憶媒体に書き込む（記憶する）。
【００４０】
また、表示手段を具備し、書き込む内容を確認した後に書込みの処理ができるようにすることがより望ましい。この場合、表示手段の内容で良い場合に書込み処理を開始する場合は開始するための操作を行い、表示手段の内容では良くない場合に書込み処理を中止する場合は中止するための操作を行う。
この場合における制御情報の出力の流れの一例を以下に説明する。
１）   使用者は、出力したい制御情報に応じた操作を行う。
２）   情報の処理手段は、操作に応じた制御情報を記憶手段から抽出する。
３）   情報の処理手段は、抽出した制御情報によって得られる結果を、表示手段を用いて表示する。
４）   使用者は、表示を確認する。
５）   使用者は、表示の確認の結果、書込みを行う場合は、記憶媒体を書込手段にセットし、操作手段を用いて開始するための操作を行い、書込みを開始する。
６）   使用者は、表示の確認の結果、書込みを行わない場合は、操作手段を用いて中止するための操作を行い、書込みを中止する。
７）   情報の処理手段は、開始するための操作が行われた場合は書込手段を用いて制御情報を記憶媒体に書き込む。中止のための操作が行われた場合は書込みを中止し、情報の処理を終了する。
【００４１】
表示手段は、情報を表示するための物である。表示手段は周知の物があり電化製品に応じて最適な物を用いればよく、詳細な説明を省略するが、例えば周知のものとしてディスプレイ、液晶ディスプレイ、有機ＥＬディスプレイ、プラズマディスプレイ、３Ｄディスプレイ、タッチパネル、などがある。
【実施例１】
【００４２】
発明を実施するための形態記載の電化製品において、読込手段により記憶媒体から情報を読み込むことで記憶媒体に制御情報が記憶されていないかを確認し、記憶媒体に制御情報が記憶されていない場合にのみ書込手段による制御情報の書込みを行うようにし、記憶媒体に書き込む制御情報の数を１つのみに限定する。
【００４３】
実施例１における制御情報の出力の流れの一例を以下に説明する。
１）   使用者は、書込みたい制御情報に応じた操作を行う。
２）   情報の処理手段は、操作に応じた制御情報を記憶手段から抽出する。
３）   使用者は、記憶媒体を書込手段/読込手段にセットする。
４）   情報の処理手段は、読込手段を用いて、記憶媒体の情報を読込、制御情報が記憶されているかどうかを確認する。
５）   情報の処理手段は、確認の結果、記憶媒体に制御情報が記憶されていない場合、制御情報の書込手段を用いて、抽出した制御情報を記憶媒体に書き込む。
６）   情報の処理手段は、確認の結果、記憶媒体に制御情報が記憶されている場合、書込み処理を中止する。
【実施例２】
【００４４】
発明を実施するための形態記載の電化製品において、予め互換情報を記憶手段に記憶しておき、読み込んだ制御情報と、互換情報と、を基に制御情報を抽出し、抽出した制御情報の書込みを行う。
【００４５】
互換情報は電化製品の買換えなどにより機種が変わり、記憶媒体から制御情報を読み込んだ際、読み込んだ制御情報が買換え後の電化製品に対応する制御情報では無い場合に、互換関係にある制御情報を抽出するための情報であり、予め制御情報毎に互換情報を決め記憶手段に記憶しておく。
【００４６】
互換情報は互換関係にある制御情報を抽出するための対応表のような情報である。説明の便宜上、機種が変わる前の電化製品を旧電化製品、機種が変わった後の電化製品を新電化製品、とし、旧電化製品の制御情報を旧制御情報、新電化製品の制御情報を新制御情報、とする。例えば、読み込んだ旧制御情報がキー情報であり識別子Ａ１２３４５（旧制御情報に対応する旧電化製品のプログラムがプログラムＡ）の場合、互換関係にある新制御情報は、キー情報として識別子ＡＡ１２３４５である、もしくはプログラムＡＡである、といったような情報である。読み込んだ旧制御情報がプログラムでありプログラムＡの場合は、互換関係にある新制御情報は、キー情報としてＡＡ１２３４５である、もしくはプログラムＡＡである、といったような情報である。
【００４７】
実施例２において新電化製品の処理手段は読込手段を用いて読み込んだ旧制御情報と、互換情報と、を基に読み込んだ旧制御情報と互換関係にある新制御情報を抽出し、記憶媒体に抽出した新制御情報の書込みを行う。
【００４８】
実施例２における情報の処理手段の処理の流れを説明する。
１）    使用者は、記憶媒体を書込手段/読込手段にセットする。
２）    情報の処理手段は、読込手段を用いて、記憶媒体から制御情報を読み込む。
３）    情報の処理手段は、読み込んだ制御情報と、互換情報と、を基に、互換関係にある制御情報を抽出する。
４）    情報の処理手段は、書込手段を用いて抽出した制御情報を記憶媒体に書込む。
【実施例３】
【００４９】
発明を実施するための形態記載の電化製品において、予め互換情報を記憶手段に記憶しておき、読み込んだ制御情報と、互換情報と、を基に制御情報を抽出し、抽出した制御情報を基に電化製品の制御を行う。
【００５０】
実施例３において新電化製品の処理手段は読込手段を用いて読み込んだ旧制御情報と、互換情報と、を基に読み込んだ旧制御情報と互換関係にある新制御情報を抽出し、抽出した新制御情報を基に電化製品の制御を行う。
【００５１】
実施例３における情報の処理手段の処理の流れを説明する。
１）    使用者は、記憶媒体を書込手段/読込手段にセットする。
２）    情報の処理手段は、読込手段を用いて、記憶媒体から制御情報を読み込む。
３）    情報の処理手段は、読み込んだ制御情報と、互換情報と、を基に、互換関係にある制御情報を抽出する。
４）    情報の処理手段は、抽出した制御情報を基に電化製品の制御を行う。
【実施例４】
【００５２】
発明を実施するための形態記載の電化製品において、予め互換情報を記憶手段に記憶しておき、読み込んだ制御情報と互換情報とを基に制御情報を抽出し、抽出した制御情報の書込みを行う。
【００５３】
実施例４において電化製品の処理手段は読込手段を用いて読み込んだ制御情報が対応する制御情報か確認し、対応する制御情報ではない場合は、互換情報を基に読み込んだ制御情報と互換関係にある制御情報を抽出し、記憶媒体に抽出した制御情報の書込みを行う。
【００５４】
実施例４における情報の処理手段の処理の流れを説明する。
１）    使用者は、記憶媒体を書込手段/読込手段にセットする。
２）    情報の処理手段は、読込手段を用いて、記憶媒体から制御情報を読み込む。
３）    情報の処理手段は、読み込んだ制御情報が対応する制御情報であるか確認する。
４）    情報の処理手段は、読み込んだ制御情報が対応する制御情報であった場合は、制御情報を基に電化製品の制御を行う、
５）    情報の処理手段は、読み込んだ制御情報が対応する制御情報でなかった場合は、読み込んだ制御情報と、互換情報と、を基に、互換関係にある制御情報を抽出する。
６）    情報の処理手段は、書込手段を用いて抽出した制御情報を記憶媒体に書込む。
【実施例５】
【００５５】
発明を実施するための形態記載の電化製品において、予め互換情報を記憶手段に記憶しておき、読み込んだ制御情報と互換情報とを基に制御情報を抽出し、抽出した制御情報を基に電化製品の制御を行う。
【００５６】
実施例５において電化製品の処理手段は読込手段を用いて読み込んだ制御情報が対応する制御情報か確認し、対応する制御情報ではない場合は、互換情報を基に読み込んだ制御情報と互換関係にある制御情報を抽出し、抽出した制御情報を基に電化製品の制御を行う。
【００５７】
実施例５における情報の処理手段の処理の流れを説明する。
１）    使用者は、記憶媒体を書込手段/読込手段にセットする。
２）    情報の処理手段は、読込手段を用いて、記憶媒体から制御情報を読み込む。
３）    情報の処理手段は、読み込んだ制御情報が対応する制御情報であるか確認する。
４）    情報の処理手段は、読み込んだ制御情報が対応する制御情報であった場合は、制御情報を基に電化製品の制御を行う、
５）    情報の処理手段は、読み込んだ制御情報が対応する制御情報でなかった場合は、読み込んだ制御情報と、互換情報と、を基に、互換関係にある制御情報を抽出する。
６）    情報の処理手段は抽出した制御情報を基に電化製品の制御を行う。
【実施例６】
【００５８】
発明を実施するための形態記載の電化製品において、予め互換情報を記憶手段に記憶しておき、制御情報を書き込む際に、書き込む制御情報以外の制御情報が記憶媒体に記憶されているか確認し、記憶されていない場合は制御情報の書込みを行い、記憶されている場合は記憶されている制御情報が書き込む制御情報と互換関係にあるか確認し、互換関係にある場合は制御情報の書込みを行うようにし、記憶媒体に書き込む制御情報を１種類に限定する。
【００５９】
実施例６における情報の処理手段の処理の流れを説明する。
１）    使用者は、書込みたい制御情報に応じた操作を行う。
２）    情報の処理手段は、操作に応じた制御情報を記憶手段から抽出する。
３）    使用者は、記憶媒体を書込手段/読込手段にセットする。
４）    情報の処理手段は、読込手段を用いて、記憶媒体から情報を読み込み、制御情報が記憶媒体に記憶されているかどうかを確認する。
５）    情報の処理手段は、確認の結果、制御情報が記憶されていない場合は制御情報の書込みを行う。
６）    情報の処理手段は、確認の結果、制御情報が記憶されている場合は、互換情報を基に、記憶されている情報が抽出した制御情報と互換関係にあるかを確認する。
７）    情報の処理手段は、確認の結果、記憶されている制御情報が抽出した制御情報と互換関係である場合、制御情報の書込みを行う。
８）    情報の処理手段は、確認の結果、記憶されている制御情報が抽出した制御情報と互換関係ではない場合、制御情報の書込みを中止する。
【実施例７】
【００６０】
実施例１、実施例２、実施例３、実施例４、実施例５、実施例６、の電化製品において磁力スイッチを具備し、読込手段の制御情報の読み込みが磁力スイッチと連動して行われるように構成し、記憶媒体に磁力スイッチを動作させるための磁石もしくは磁性体を具備し、記憶媒体を電化製品にセットするだけで、電化製品の電源入力がオンとなり制御が開始されるように構成する。この際、確認のために制御を開始する前に準備状態で待機し開始情報待ちとしても良い。
【００６１】
実施例７における電化製品の制御の流れの一例を以下に説明する。
１）    使用者は、記憶媒体を読込手段にセットする。
２）    磁力スイッチが作動し、情報の処理手段が起動し、情報の処理手段が読込手段を用いて、記憶媒体から制御情報を読み込む。
３）    情報の処理手段は読み込んだ制御情報を基に電化製品の制御を行う。
【実施例８】
【００６２】
製品情報の抽出表示装置を、制御情報の読込手段と、記憶手段と、表示手段と、情報の処理手段と、から、記憶媒体から制御情報を読込み、読み込んだ制御情報を基に製品情報を抽出し表示するように構成する。
【００６３】
製品情報の抽出表示装置は、所有している電化製品において、どのような機能を使っているかを基に製品情報を抽出し表示するものである。
【００６４】
実施例８において、記憶手段には予め製品情報を記憶しておくか、ネットワークの接続手段を具備し、ネットワークを介して製品情報を取得し記憶手段に記憶できるようにする。
制御情報毎に、製品情報として、製品の性能などの情報、機能（制御情報）、など製品に関する情報を予め関連づけて記憶しておき、制御情報毎に、製品情報としての、製品の性能などの情報、機能（新制御情報）、など製品に関する情報を抽出できるようにする。
【００６５】
製品情報の表示装置は記憶媒体に記憶されている制御情報を基に、製品情報を抽出し表示する。
【００６６】
実施例８における制御情報の出力の流れの一例を以下に説明する。
１）   記憶媒体を読込手段にセットする。
２）   情報の処理手段は、読込手段を用いて、記憶媒体から制御情報を読み込む。
３）   情報の処理手段は、読み込んだ制御情報を基に製品情報を記憶手段から抽出する。
４）   情報の処理手段は、抽出した製品情報を表示手段を用いて表示する。
【００６７】
また書込手段を具備し、記憶媒体に機能（新制御情報）を書き込めるようにすることがより望ましい。
【手続補正２】
【補正対象書類名】手続補正書
【補正対象項目名】手続補正２
【補正方法】変更
【補正の内容】
【手続補正２】
【補正対象書類名】特許請求の範囲
【補正対象項目名】全文
【補正方法】変更
【補正の内容】
【特許請求の範囲】
【請求項１】
電化製品を制御するための情報である制御情報を記憶媒体に書込むことができ、書き込む制御情報の数を１つに限定することができる電化製品であって、
電化製品を操作するための操作手段と、
情報を記憶するための記憶手段と、
情報を処理するための情報の処理手段と、
情報を記憶媒体に書き込むための情報の書込手段と、
情報を記憶媒体から読み込むための情報の読込手段と、
を具備し、
前記処理手段が、
前記読込手段を用いて記憶媒体から情報を読み込むステップと、
読み込んだ情報を基に制御情報が記憶媒体に記憶されているか否かを確認するステップと、
記憶媒体に制御情報が記憶されている場合は、記憶媒体に制御情報の書込みを行わないステップと、
記憶媒体に制御情報が記憶されていない場合は、記憶媒体に前記書込手段を用いて制御情報の書込みを行うステップと、
を実行できる、
ことを特徴とする、電化製品。
【請求項２】
電化製品の機種の変更後、変更前の機種で使用していた機能と同様の機能を、変更後の機種でも同様の方法で使用できるように、互換関係にある制御情報を抽出し書込み可能な電化製品であって、
情報を記憶するための記憶手段と、
情報を処理するための情報の処理手段と、
情報を記憶媒体に書き込むための情報の書込手段と、
情報を記憶媒体から読み込むための情報の読込手段と、
を具備し、
前記記憶手段に、制御情報と、互換関係にある制御情報を抽出するための情報としての互換情報と、を予め記憶し、
前記処理手段が、
記憶媒体から前記読込手段を用いて制御情報を読込むステップと、
読み込んだ制御情報と、前記記憶手段に記憶されている互換情報と、を基に、互換関係にある制御情報を前記記憶手段から抽出するステップと、
前記書込手段を用いて、抽出した互換関係にある制御情報を記憶媒体に書込むステップと、
を実行できることを特徴とする、電化製品。
【請求項３】
電化製品の機種の変更後、変更前の機種で使用していた機能と同様の機能を、変更後の機種でも同様の方法で使用できるように、互換関係にある制御情報を抽出し制御可能な電化製品であって、
情報を記憶するための記憶手段と、
情報を処理するための情報の処理手段と、
情報を記憶媒体に書き込むための情報の書込手段と、
情報を記憶媒体から読み込むための情報の読込手段と、
を具備し、
前記記憶手段に、制御情報と、互換関係にある制御情報を抽出するための情報としての互換情報と、を予め記憶し、
前記処理手段が、
記憶媒体から前記読込手段を用いて制御情報を読込むステップと、
読み込んだ制御情報と、前記記憶手段に記憶されている互換情報と、を基に、互換関係にある制御情報を前記記憶手段から抽出するステップと、
抽出した制御情報を基に制御を行うステップと、
を実行できることを特徴とする、電化製品。
【請求項４】
電化製品の機種の変更後、変更前の機種で使用していた機能と同様の機能を、変更後の機種でも同様の方法で使用できるように、互換関係にある制御情報を抽出し書込み可能な電化製品であって、
情報を記憶するための記憶手段と、
情報を処理するための情報の処理手段と、
情報を記憶媒体に書き込むための情報の書込手段と、
情報を記憶媒体から読み込むための情報の読込手段と、
を具備し、
前記記憶手段に、制御情報と、互換関係にある制御情報を抽出するための情報としての互換情報と、を予め記憶し、
前記処理手段が、
前記読込手段を用いて記憶媒体から制御情報を読み込むステップと、
読み込んだ制御情報が対応する制御情報であるか確認するステップと、
読み込んだ制御情報が対応する制御情報であった場合は、制御情報を基に電化製品の制御を行うステップと、
読み込んだ制御情報が対応する制御情報でなかった場合は、読み込んだ制御情報と、互換情報と、を基に互換関係にある制御情報を抽出し、抽出した制御情報を前記書込手段を用いて記憶媒体に書込むステップと、
を実行できることを特徴とする、電化製品。
【請求項５】
電化製品の機種の変更後、変更前の機種で使用していた機能と同様の機能を、変更後の機種でも同様の方法で使用できるように、互換関係にある制御情報を抽出し制御可能な電化製品であって、
情報を記憶するための記憶手段と、
情報を処理するための情報の処理手段と、
情報を記憶媒体に書き込むための情報の書込手段と、
情報を記憶媒体から読み込むための情報の読込手段と、
を具備し、
前記記憶手段に、制御情報と、互換関係にある制御情報を抽出するための情報としての互換情報と、を予め記憶し、
前記処理手段が、
前記読込手段を用いて記憶媒体から制御情報を読み込むステップと、
読み込んだ制御情報が対応する制御情報であるか確認するステップと、
読み込んだ制御情報が対応する制御情報であった場合は、制御情報を基に電化製品の制御を行うステップと、
読み込んだ制御情報が対応する制御情報でなかった場合は、読み込んだ制御情報と、互換情報と、を基に互換関係にある制御情報を抽出し、抽出した制御情報を基に制御を行うステップと、
を実行できることを特徴とする、電化製品。
【請求項６】
電化製品を制御するための情報である制御情報を記憶媒体に書込むことができ、書き込む制御情報の種類を１種類に限定することができる電化製品であって、
電化製品を操作するための操作手段と、
情報を記憶するための記憶手段と、
情報を処理するための情報の処理手段と、
情報を記憶媒体に書き込むための情報の書込手段と、
情報を記憶媒体から読み込むための情報の読込手段と、
を具備し、
前記記憶手段に、制御情報と、互換情報と、を予め記憶し、
制御情報を記憶媒体に書き込む際に前記処理手段が、
前記読込手段を用いて記憶媒体から情報を読み込むステップと、
書き込む制御情報以外の制御情報が記憶媒体に記憶されているかどうかを確認するステップと、
記憶されていない場合は、制御情報を前記書込手段を用いて記憶媒体に書込むステップと、
記憶されている場合は、記憶されている制御情報が書き込む制御情報と互換関係にあるかを確認するステップと、
互換関係にある場合は制御情報を前記書込手段を用いて記憶媒体に書込むステップと、
互換関係にない場合は書込みを行わないステップと、
を実行できることを特徴とする、電化製品。
【請求項７】
請求項１、請求項２、請求項３、請求項４、請求項５、請求項６、の少なくとも１つ記載の電化製品において、
磁力により接点のオンとオフを切り替える切換え手段を具備し、
前記切換え手段の動作と連動して制御情報の読み込みを開始することを特徴とする、
電化製品。
【請求項８】
使用している電化製品の機能から製品情報を抽出し表示できる装置であって、
情報を記憶するための記憶手段と、
情報を処理するための情報の処理手段と、
記憶媒体から情報を読み込むための情報の読込手段と、
情報を表示するための情報の表示手段と、
からなり、
前記処理手段が、
記憶媒体から読み込んだ制御情報を基に製品情報の抽出を行うステップと、
抽出によって得た製品情報を前記表示手段を用いて表示するステップと、
を実行できることを特徴とする、製品情報の抽出表示装置。
【請求項９】
使用している電化製品の機能から製品情報を抽出し表示する方法であって、
情報を記憶するための記憶手段と、
情報を処理するための情報の処理手段と、
記憶媒体から情報を読み込むための情報の読込手段と、
情報を表示するための情報の表示手段と、
からなる製品情報の抽出表示装置によってなされ、
記憶媒体から読み込んだ制御情報を基に製品情報の抽出を行うステップと、
抽出によって得た製品情報を前記表示手段を用いて表示するステップと、
を含むことを特徴とする、製品情報の抽出表示方法。
【請求項１０】
使用している電化製品の機能から製品情報を抽出し表示できる装置であって、
情報を記憶するための記憶手段と、
情報を処理するための情報の処理手段と、
記憶媒体から情報を読み込むための情報の読込手段と、
情報を表示するための情報の表示手段と、
記憶媒体に情報を書き込むための情報の書込手段と、
からなり、
前記処理手段が、
記憶媒体から読み込んだ制御情報を基に互換関係にある制御情報の抽出を行うステップと、
抽出によって得た製品情報を前記表示手段を用いて表示するステップと、
抽出によって得た互換関係にある制御情報を前記書込手段を用いて記憶媒体に書き込むステップと、
を実行できることを特徴とする、制御情報の抽出表示装置。
【手続補正書】
【提出日】平成27年3月31日(2015.3.31)
【手続補正１】
【補正対象書類名】特許請求の範囲
【補正対象項目名】全文
【補正方法】変更
【補正の内容】
【特許請求の範囲】
【請求項１】
電化製品を制御するための情報である制御情報を記憶媒体に書込むことができ、書き込む制御情報の数を１つに限定することができる電化製品であって、
電化製品を操作するための操作手段と、
情報を記憶するための記憶手段と、
情報を処理するための情報の処理手段と、
情報を記憶媒体に書き込むための情報の書込手段と、
情報を記憶媒体から読み込むための情報の読込手段と、
を具備し、
前記処理手段が、
前記操作手段の操作に応じて前記記憶手段から制御情報を抽出するステップと、
前記読込手段を用いて記憶媒体から情報を読み込み、制御情報が記憶媒体に記憶されているかどうかを確認するステップと、
記憶媒体に制御情報が記憶されている場合は、抽出した制御情報の書込みを行わないステップと、
記憶媒体に制御情報が記憶されていない場合は、記憶媒体に前記書込手段を用いて抽出した制御情報の書込みを行うステップと、
を実行できる、
ことを特徴とする、電化製品。
【請求項２】
電化製品の機種の変更後、変更前の機種で使用していた機能と同様の機能を、変更後の機種でも同様の方法で使用できるように、互換関係にある制御情報を抽出し書込み可能な電化製品であって、
情報を記憶するための記憶手段と、
情報を処理するための情報の処理手段と、
情報を記憶媒体に書き込むための情報の書込手段と、
情報を記憶媒体から読み込むための情報の読込手段と、
を具備し、
前記記憶手段に、制御情報と、互換関係にある制御情報を抽出するための情報としての互換情報と、を予め記憶し、
前記処理手段が、
記憶媒体から前記読込手段を用いて制御情報を読込むステップと、
読み込んだ制御情報と、前記記憶手段に記憶されている互換情報と、を基に、互換関係にある制御情報を前記記憶手段から抽出するステップと、
前記書込手段を用いて、抽出した互換関係にある制御情報を記憶媒体に書込むステップと、
を実行できることを特徴とする、電化製品。
【請求項３】
電化製品の機種の変更後、変更前の機種で使用していた機能と同様の機能を、変更後の機種でも同様の方法で使用できるように、互換関係にある制御情報を抽出し制御可能な電化製品であって、
情報を記憶するための記憶手段と、
情報を処理するための情報の処理手段と、
情報を記憶媒体に書き込むための情報の書込手段と、
情報を記憶媒体から読み込むための情報の読込手段と、
を具備し、
前記記憶手段に、制御情報と、互換関係にある制御情報を抽出するための情報としての互換情報と、を予め記憶し、
前記処理手段が、
記憶媒体から前記読込手段を用いて制御情報を読込むステップと、
読み込んだ制御情報と、前記記憶手段に記憶されている互換情報と、を基に、互換関係にある制御情報を前記記憶手段から抽出するステップと、
抽出した制御情報を基に制御を行うステップと、
を実行できることを特徴とする、電化製品。
【請求項４】
電化製品の機種の変更後、変更前の機種で使用していた機能と同様の機能を、変更後の機種でも同様の方法で使用できるように、互換関係にある制御情報を抽出し書込み可能な電化製品であって、
情報を記憶するための記憶手段と、
情報を処理するための情報の処理手段と、
情報を記憶媒体に書き込むための情報の書込手段と、
情報を記憶媒体から読み込むための情報の読込手段と、
を具備し、
前記記憶手段に、制御情報と、互換関係にある制御情報を抽出するための情報としての互換情報と、を予め記憶し、
前記処理手段が、
前記読込手段を用いて記憶媒体から制御情報を読み込むステップと、
読み込んだ制御情報が対応する制御情報であるか確認するステップと、
読み込んだ制御情報が対応する制御情報であった場合は、制御情報を基に電化製品の制御を行うステップと、
読み込んだ制御情報が対応する制御情報でなかった場合は、読み込んだ制御情報と、互換情報と、を基に互換関係にある制御情報を抽出し、抽出した制御情報を、前記書込手段を用いて記憶媒体に書込むステップと、
を実行できることを特徴とする、電化製品。
【請求項５】
電化製品の機種の変更後、変更前の機種で使用していた機能と同様の機能を、変更後の機種でも同様の方法で使用できるように、互換関係にある制御情報を抽出し制御可能な電化製品であって、
情報を記憶するための記憶手段と、
情報を処理するための情報の処理手段と、
情報を記憶媒体に書き込むための情報の書込手段と、
情報を記憶媒体から読み込むための情報の読込手段と、
を具備し、
前記記憶手段に、制御情報と、互換関係にある制御情報を抽出するための情報としての互換情報と、を予め記憶し、
前記処理手段が、
前記読込手段を用いて記憶媒体から制御情報を読み込むステップと、
読み込んだ制御情報が対応する制御情報であるか確認するステップと、
読み込んだ制御情報が対応する制御情報であった場合は、制御情報を基に電化製品の制御を行うステップと、
読み込んだ制御情報が対応する制御情報でなかった場合は、読み込んだ制御情報と、互換情報と、を基に互換関係にある制御情報を抽出し、抽出した制御情報を基に制御を行うステップと、
を実行できることを特徴とする、電化製品。
【請求項６】
電化製品を制御するための情報である制御情報を記憶媒体に書込むことができ、書き込む制御情報の種類を１種類に限定することができる電化製品であって、
電化製品を操作するための操作手段と、
情報を記憶するための記憶手段と、
情報を処理するための情報の処理手段と、
情報を記憶媒体に書き込むための情報の書込手段と、
情報を記憶媒体から読み込むための情報の読込手段と、
を具備し、
前記記憶手段に、制御情報と、互換情報と、を予め記憶し、
前記処理手段が、
前記操作手段の操作に応じて前記記憶手段から制御情報を抽出するステップと、
前記読込手段を用いて記憶媒体から情報を読み込み、記憶媒体に制御情報が記憶されているかどうかを確認するステップと、
記憶媒体に制御情報が記憶されていない場合は、抽出した制御情報を、前記書込手段を用いて記憶媒体に書込むステップと、
記憶媒体に制御情報が記憶されている場合は、記憶されている制御情報が抽出した制御情報と互換関係にあるかを確認するステップと、
互換関係にある場合は、抽出した制御情報を、前記書込手段を用いて記憶媒体に書込むステップと、
互換関係にない場合は書込みを行わないステップと、
を実行できることを特徴とする、電化製品。
【請求項７】
請求項１、請求項２、請求項３、請求項４、請求項５、請求項６、の少なくとも１つ記載の電化製品において、
磁力により接点のオンとオフを切り替える切換え手段を具備し、
前記切換え手段の動作と連動して制御情報の読み込みが開始されるように構成することを特徴とする、電化製品。
【請求項８】
使用している電化製品の機能から製品情報を抽出し表示できる装置であって、
情報を記憶するための記憶手段と、
情報を処理するための情報の処理手段と、
記憶媒体から情報を読み込むための情報の読込手段と、
情報を表示するための情報の表示手段と、
からなり、
前記処理手段が、
前記読込手段を用いて記憶媒体から制御情報を読み込むステップと、
記憶媒体から読み込んだ制御情報を基に製品情報の抽出を行うステップと、
抽出した製品情報を、前記表示手段を用いて表示するステップと、
を実行できることを特徴とする、製品情報の抽出表示装置。
【請求項９】
使用している電化製品の機能から製品情報を抽出し表示する方法であって、
情報を記憶するための記憶手段と、
情報を処理するための情報の処理手段と、
記憶媒体から情報を読み込むための情報の読込手段と、
情報を表示するための情報の表示手段と、
からなる製品情報の抽出表示装置によってなされ、
前記読込手段を用いて記憶媒体から制御情報を読み込むステップと、
記憶媒体から読み込んだ制御情報を基に製品情報の抽出を行うステップと、
抽出した製品情報を、前記表示手段を用いて表示するステップと、
を含むことを特徴とする、製品情報の抽出表示方法。
【請求項１０】
使用している電化製品の機能から製品情報を抽出し表示できる装置であって、
情報を記憶するための記憶手段と、
情報を処理するための情報の処理手段と、
記憶媒体から情報を読み込むための情報の読込手段と、
情報を表示するための情報の表示手段と、
記憶媒体に情報を書き込むための情報の書込手段と、
からなり、
前記処理手段が、
前記読込手段を用いて記憶媒体から制御情報を読み込むステップと、
記憶媒体から読み込んだ制御情報を基に制御情報の抽出を行うステップと、
抽出した製品情報を、前記表示手段を用いて表示するステップと、
抽出した制御情報を、前記書込手段を用いて記憶媒体に書き込むステップと、
を実行できることを特徴とする、制御情報の抽出表示装置。
【手続補正書】
【提出日】平成27年7月17日(2015.7.17)
【手続補正１】
【補正対象書類名】明細書
【補正対象項目名】全文
【補正方法】変更
【補正の内容】
【発明の詳細な説明】
【技術分野】
【０００１】
本発明は、主に、電化製品および電化製品の検索方法に関するものである。
【背景技術】
【０００２】
従来、家電製品および電気制御可能な製品（以下両方を合わせて説明の便宜上電化製品とする）、は周知の制御方法によって制御されている。
（例えば非特許文献１、特許文献２、非特許文献３、非特許文献４、参照）  
【０００３】
電化製品としては周知の物として、映像を表示するためのテレビ、映像を録画するための録画用デッキ、録画された映像を再生するための再生用デッキ、洗濯をするための
洗濯機、乾燥をするための乾燥機、洗濯および乾燥をするための洗濯乾燥機、加熱調理をするための電子レンジ、加熱調理をするためのオーブントースター、パソコン、カメラ、扇風機、ファンヒーター、オイルヒーター、空気清浄機、除湿機、マッサージ機、室温や湿度を調整するためのエアコン、などがあり、上記以外にも周知の物が多くある。
（例えば非特許文献２、非特許文献３、非特許文献４、参照）
また、スマート家電といった、携帯端末を用いて操作可能な電化製品がある。
【先行技術文献】
【非特許文献】
【０００４】
【非特許文献１】門田和雄著、「今日からモノ知りシリーズトコトンやさしい制御の本」日刊工業新聞社出版、２０１１年７月２８日発行、１０‐１５６頁
【非特許文献２】佐藤銀平著、「化学のはたらきシリーズ第１巻「家電製品がわかる１」-アインシュタインの冷蔵庫-」東京書籍株式会社出版、２００８年１月３０日、１２‐２１６頁
【非特許文献３】佐藤銀平著、「化学のはたらきシリーズ第２巻「家電製品がわかる２」-相対性理論で正しく動くＧＰＳ-」東京書籍株式会社出版、２００８年１月３０日、２‐２１７頁
【非特許文献４】安藤龍男発行、「家電製品エンジニア資格生活家電の基礎と製品技術」日本放送出版協会発行、２００１年５月３０日、１‐４３７頁
【発明の概要】
【発明が解決しようとする課題】
【０００５】
電化製品の操作（扱い）は不慣れな者にとっては難しく、製品の性能を十分に使いこなすことができないといった課題があった。
【０００６】
スマート家電は携帯端末による操作を可能とし操作性は向上しているが数多の機能の中から使いたい機能を探し選択する必要があり、扱いに不慣れな者にとっては難しく、製品の性能を十分に使いこなすことが難しかった。
【０００７】
また、電化製品の操作に慣れた者が、電化製品の操作に不慣れな者に、電化製品の操作を説明することはよくあることであるが、電化製品の操作に不慣れな者が操作の習熟に至ることは、容易ではなかった。
【０００８】
従来の電化製品は、買換えなどにより機種が変わると、操作方法が変わり、新たに操作方法を覚える必要があった。
これは、使用者にとっては負担となっていた。
【０００９】
本発明は、電化製品の操作に不慣れな者が製品の性能を十分に使いこなすことができるよう、電化製品の操作に慣れた者が簡易な方法を準備できるようにし、電化製品の操作の慣れた者と同様の操作結果を得ることを可能とし、且つ、記憶媒体に制御情報を、１つのみ、もしくは互換関係にある情報１種類のみ、に限定して書込みできるようにし、使用者が用いる制御情報を機械上で選択する必要をなくす、ことを目的としている。
【００１０】
また、買換え前の電化製品の制御に関する情報から、互換情報を基に、買換え後の電化製品の制御に関する情報を容易に得ることができるようにし、買い替えなどによる使用者の負担を減らすことも目的としている。
【００１１】
また、新たに製品を購入（取得）する際に使用している機能から製品を探せるようにし、使用者が製品を探す際の負担を減らすことを目的としている。
【課題を解決するための手段】
【００１２】
課題を解決するための請求項１記載の電化製品は、電化製品を制御するための情報である制御情報を記憶媒体に書込むことができ、書き込む制御情報の数を１つに限定することができる電化製品であって、電化製品を操作するための操作手段と、情報を記憶するための情報の記憶手段と、情報を処理するための情報の処理手段と、情報を記憶媒体に書き込むための情報の書込手段と、情報を記憶媒体から読み込むための情報の読込手段と、を具備し、前記処理手段が、前記操作手段の操作に応じて前記記憶手段から制御情報を抽出するステップと、前記読込手段を用いて記憶媒体から情報を読み込み、制御情報が記憶媒体に記憶されているかどうかを確認するステップと、記憶媒体に制御情報が記憶されている場合は、抽出した制御情報の書込みを行わないステップと、記憶媒体に制御情報が記憶されていない場合は、記憶媒体に前記書込手段を用いて抽出した制御情報の書込みを行うステップと、を実行できる、ことを特徴としている。
【００１３】
課題を解決するための請求項２記載の電化製品は、電化製品の機種の変更後、変更前の機種で使用していた機能と同様の機能を、変更後の機種でも同様の方法で使用できるように、互換関係にある制御情報を抽出し書込み可能な電化製品であって、情報を記憶するための情報の記憶手段と、情報を処理するための情報の処理手段と、情報を記憶媒体に書き込むための情報の書込手段と、情報を記憶媒体から読み込むための情報の読込手段と、を具備し、前記記憶手段に、制御情報と、互換関係にある制御情報を抽出するための情報としての互換情報と、を予め記憶し、前記処理手段が、記憶媒体から前記読込手段を用いて制御情報を読込むステップと、読み込んだ制御情報と、前記記憶手段に記憶されている互換情報と、を基に、互換関係にある制御情報を前記記憶手段から抽出するステップと、前記書込手段を用いて、抽出した互換関係にある制御情報を記憶媒体に書込むステップと、を実行できることを特徴としている。
【００１４】
課題を解決するための請求項３記載の電化製品は、電化製品の機種の変更後、変更前の機種で使用していた機能と同様の機能を、変更後の機種でも同様の方法で使用できるように、互換関係にある制御情報を抽出し制御可能な電化製品であって、情報を記憶するための情報の記憶手段と、情報を処理するための情報の処理手段と、情報を記憶媒体に書き込むための情報の書込手段と、情報を記憶媒体から読み込むための情報の読込手段と、を具備し、前記記憶手段に、制御情報と、互換関係にある制御情報を抽出するための情報としての互換情報と、を予め記憶し、前記処理手段が、記憶媒体から前記読込手段を用いて制御情報を読込むステップと、読み込んだ制御情報と、前記記憶手段に記憶されている互換情報と、を基に、互換関係にある制御情報を前記記憶手段から抽出するステップと、抽出した制御情報を基に制御を行うステップと、を実行できることを特徴としている。
【００１５】
課題を解決するための請求項４記載の電化製品は、電化製品の機種の変更後、変更前の機種で使用していた機能と同様の機能を、変更後の機種でも同様の方法で使用できるように、互換関係にある制御情報を抽出し書込み可能な電化製品であって、情報を記憶するための情報の記憶手段と、情報を処理するための情報の処理手段と、情報を記憶媒体に書き込むための情報の書込手段と、情報を記憶媒体から読み込むための情報の読込手段と、を具備し、前記記憶手段に、制御情報と、互換関係にある制御情報を抽出するための情報としての互換情報と、を予め記憶し、前記処理手段が、前記読込手段を用いて記憶媒体から制御情報を読み込むステップと、読み込んだ制御情報が対応する制御情報であるか確認するステップと、読み込んだ制御情報が対応する制御情報であった場合は、制御情報を基に電化製品の制御を行うステップと、読み込んだ制御情報が対応する制御情報でなかった場合は、読み込んだ制御情報と、互換情報と、を基に互換関係にある制御情報を抽出し、抽出した制御情報を前記書込手段を用いて記憶媒体に書込むステップと、を実行できることを特徴としている。
【００１６】
課題を解決するための請求項５記載の電化製品は、電化製品の機種の変更後、変更前の機種で使用していた機能と同様の機能を、変更後の機種でも同様の方法で使用できるように、互換関係にある制御情報を抽出し制御可能な電化製品であって、情報を記憶するための情報の記憶手段と、情報を処理するための情報の処理手段と、情報を記憶媒体に書き込むための情報の書込手段と、情報を記憶媒体から読み込むための情報の読込手段と、を具備し、前記記憶手段に、制御情報と、互換関係にある制御情報を抽出するための情報としての互換情報と、を予め記憶し、前記処理手段が、前記読込手段を用いて記憶媒体から制御情報を読み込むステップと、読み込んだ制御情報が対応する制御情報であるか確認するステップと、読み込んだ制御情報が対応する制御情報であった場合は、制御情報を基に電化製品の制御を行うステップと、読み込んだ制御情報が対応する制御情報でなかった場合は、読み込んだ制御情報と、互換情報と、を基に互換関係にある制御情報を抽出し、抽出した制御情報を基に制御を行うステップと、を実行できることを特徴としている。
【００１７】
課題を解決するための請求項６記載の電化製品は、電化製品を制御するための情報である制御情報を記憶媒体に書込むことができ、書き込む制御情報の種類を１種類に限定することができる電化製品であって、電化製品を操作するための操作手段と、情報を記憶するための情報の記憶手段と、情報を処理するための情報の処理手段と、情報を記憶媒体に書き込むための情報の書込手段と、情報を記憶媒体から読み込むための情報の読込手段と、
を具備し、前記記憶手段に、制御情報と、互換情報と、を予め記憶し、前記処理手段が、前記操作手段の操作に応じて前記記憶手段から制御情報を抽出するステップと、前記読込手段を用いて記憶媒体から情報を読み込み、記憶媒体に制御情報が記憶されているかどうかを確認するステップと、記憶媒体に制御情報が記憶されていない場合は、抽出した制御情報を、前記書込手段を用いて記憶媒体に書込むステップと、記憶媒体に制御情報が記憶されている場合は、記憶されている制御情報が抽出した制御情報と互換関係にあるかを確認するステップと、互換関係にある場合は、抽出した制御情報を、前記書込手段を用いて記憶媒体に書込むステップと、互換関係にない場合は、抽出した制御情報の書込みを行わないステップと、を実行できることを特徴としている。
【００１８】
課題を解決するための請求項７記載の電化製品は、記憶媒体をセットするだけで目的の結果を得ることができる電化製品であって、請求項１、請求項２、の少なくとも１つ記載の電化製品において、磁力により接点のオンとオフを切り替える切換え手段を具備し、記憶媒体から制御情報を読み込み、読み込んだ制御情報を基に制御を開始するステップ、を前記切換え手段に連動して実行できること、を特徴としている。
【００１９】
課題を解決するための請求項８記載の製品情報の抽出表示装置は、所有している電化製品において使っている機能、としての制御情報を基に製品情報を抽出し表示できる装置であって、情報を記憶するための情報の記憶手段と、情報を処理するための情報の処理手段と、
記憶媒体から情報を読み込むための情報の読込手段と、情報を表示するための情報の表示手段と、からなり、前記処理手段が、前記読込手段を用いて記憶媒体から制御情報を読み込むステップと、記憶媒体から読み込んだ制御情報を基に製品情報の抽出を行うステップと、抽出した製品情報を、前記表示手段を用いて表示するステップと、を実行できることを特徴としている。
【００２０】
課題を解決するための請求項９記載の製品情報の抽出表示方法は、所有している電化製品において使っている機能、としての制御情報を基に製品情報を抽出し表示する方法であって、情報を記憶するための情報の記憶手段と、情報を処理するための情報の処理手段と、記憶媒体から情報を読み込むための情報の読込手段と、情報を表示するための情報の表示手段と、からなる製品情報の抽出表示装置によってなされ、前記読込手段を用いて記憶媒体から制御情報を読み込むステップと、記憶媒体から読み込んだ制御情報を基に製品情報の抽出を行うステップと、抽出した製品情報を、前記表示手段を用いて表示するステップと、を含むことを特徴としている。
【００２１】
課題を解決するための請求項１０記載の製品情報の抽出表示装置は、所有している電化製品において使っている機能、としての制御情報を基に製品情報を抽出し表示できる装置であって、情報を記憶するための情報の記憶手段と、情報を処理するための情報の処理手段と、記憶媒体から情報を読み込むための情報の読込手段と、情報を表示するための情報の表示手段と、記憶媒体に情報を書き込むための情報の書込手段と、からなり、前記処理手段が、前記読込手段を用いて記憶媒体から制御情報を読み込むステップと、記憶媒体から読み込んだ制御情報を基に、制御情報を含む製品情報の抽出を行うステップと、抽出した制御情報を含む製品情報を、前記表示手段を用いて表示するステップと、抽出した制御情報を、前記書込手段を用いて記憶媒体に書き込むステップと、を実行できることを特徴としている。
【発明の効果】
【００２２】
上述したように本発明の電化製品は、電化製品の操作に慣れた者が、電化製品の操作の結果としての制御情報を記憶媒体に書き込む（保存する）ことができ、電化製品の操作に不慣れな者が、制御情報が書き込まれている記憶媒体を用いることで電化製品の操作の慣れた者と同様の操作結果を得ることが可能となり、製品の性能を十分に使いこなすことが可能となる。
【００２３】
上述したように本発明の電化製品は、記憶媒体に制御情報を、１つのみ書込みもしくは互換関係にある情報１種類のみを書込みすることができ、使用者が用いる制御情報を機械上で選択する必要が無くなり記憶媒体を電化製品にセットするだけで目的の結果を得ることができるようになる。
【００２４】
上述したように本発明の電化製品は、買換え前の電化製品の制御に関する情報から、互換情報を基に、買換え後の電化製品の制御に関する情報を容易に得ることができるようになり、買い替えなどによる使用者の負担を減らすことができ、販売の抑止力を軽減することができる。
【００２５】
上述したように本発明の製品情報の抽出表示装置は、新たに製品を購入（取得）する際に使用している機能から製品を探すことができ、使用者が製品を探す際の負担を減らすことができる。
【発明を実施するための形態】
【００２６】
書込手段と、読込み手段と、操作手段と、情報の処理手段と、情報の記憶手段と、から、記憶媒体に制御情報を書込み可能なように構成し、電化製品に具備する。書込手段と読込手段は１つの物として構成し、書込手段/読込手段とすることが望ましい。
【００２７】
書込手段は、電化製品を制御するための情報としての制御情報を、記憶媒体に書込む（保存する、記憶する）ための物である。書き込み手段は周知の物があり、最適な物を用いればよく、詳細な説明を省略するが、例えば、周知の物としてICカードライタ、メモリカードライタ、ＵＳＢメモリライタ、ディスクドライブ、ＭＯ，などがある。書込手段の種類により書込み可能な状態が異なるが、説明の便宜上、書込手段による情報の書き込みが可能な状態にすることを、以下、書込手段にセットする、とする。
【００２８】
書込手段にセットする、の例としては、書込手段が非接触型の書込手段の場合は書込み位置に記憶媒体を持っていき書込みを待つ、書込手段が接触型の書込手段の場合は記憶媒体を書込手段に接続し書込みを待つ、ようにすればよい。
【００２９】
読込手段は、情報を、記憶媒体から読み込むための物である。読込手段は周知の物があり、最適な物を用いればよく、詳細な説明を省略するが、例えば、周知の物としてＩＣカードリーダ、メモリカードリーダ、ＵＳＢメモリリーダ、ディスクドライブ、ＭＯ、などがある。読込手段の種類により書込み可能な状態が異なるが、説明の便宜上、読込手段による情報の読み込みが可能な状態にすることを、以下、読込手段にセットする、とする。
【００３０】
読込手段にセットする、の例としては、読込手段が非接触型の書込手段の場合は読込位置に記憶媒体を持っていき読み込みを待つ、読込手段が接触型の読込手段の場合は記憶媒体を読込手段に接続し読み込みを待つ、ようにすればよい。
【００３１】
情報の処理手段は、電化製品の制御に関する情報の処理を行うための物である。情報の処理手段は周知の物があり、最適な物を用いればよく、詳細な説明を省略するが、例えば、周知のものとしてＣＰＵ（制御/演算装置）、ＭＰＵ（制御/演算装置）などがある。
【００３２】
情報の記憶手段は、情報を記憶するための物である。情報の記憶手段は周知の物があり、最適な物を用いればよく、詳細な説明を省略するが、例えば、周知の物としてメモリ、記憶装置、主記憶装置、補助記憶装置、ハードディスク、などがある。
【００３３】
記憶媒体は、電化製品の記憶手段とは別に制御情報を記憶するための物である。記憶媒体は周知の物があり、最適な物を用いればよく、詳細な説明を省略するが、例えば、周知の物としてＩＣカード、メモリカード、ＵＳＢメモリ、光ディスク、ＭＯ、などがある。
【００３４】
操作手段は、電化製品の操作を行うための物である。操作手段は周知の物があり、電化製品に応じて最適な物を用いればよく、詳細な説明を省略するが、例えば、周知の物として、スイッチ、リモートコントローラー、タッチパネル、キーボードなどがある。
操作手段を用いて操作を行い所定の制御および情報の処理を実行する方法は周知であり、本発明の特徴とする部分では無く省略するが、操作に応じて所定の制御および情報の処理が行われるのであれば形状や構成を限定する物ではない。このときの制御および情報の処理などは、情報の処理手段が制御および処理し、制御および処理のためのプログラムは予め記憶手段に記憶しておく。
【００３５】
制御情報は、電化製品を制御するためのプログラムや、電化製品を制御するためのプログラムを選択するためのキー情報や、など制御情報を読み込んだ電化製品が、所定の動作を行うことができる物であればよい。
【００３６】
制御情報をプログラムとする場合は、操作に応じてどのプログラムを出力(書込み)するか、を予め電化製品の記憶手段に記憶しておき、操作に応じたプログラムを出力（書込み）する。
【００３７】
制御情報をキー情報とする場合は、操作に応じてどのキー情報を出力するか、と、キー情報を読み込んだ際どのプログラムを実行するか、と、を予め記憶手段に記憶しておき、操作に応じたキー情報の出力、と、読み込んだキー情報に応じたプログラムの実行、とを行えるようにする。また、キー情報に電化製品の種類や型番を特定するための情報を含むようにし、より細かにプログラムとの対応関係を設定しても良い。キー情報は識別子のような情報で良い。例えば、キー情報をＡ１２３４５対応するプログラムがプログラムＡ、キー情報をＢ５６７８９対応するプログラムがプログラムＢのようにキー情報毎に対応するプログラムを予め設定しておく。
【００３８】
電化製品をプログラムの実行によって制御する、方法、手段、は本発明の特徴とする部分ではなく周知であり詳細な説明は省略するが、電化製品の種類に応じて最適なものを用いればよい。
【００３９】
制御情報の出力の流れの一例を以下に説明する。
１）   使用者は、出力したい制御情報に応じた操作を行う。
２）   電化製品の情報の処理手段は、操作に応じた制御情報を記憶手段から抽出する。
３）   使用者は、記憶媒体を書込手段にセットする。
４）   電化製品の情報の処理手段は、書込手段を用いて、抽出した制御情報を記憶媒体に書き込む（記憶する）。
【００４０】
また、表示手段を具備し、書き込む内容を確認した後に書込みの処理ができるようにすることがより望ましい。この場合、表示手段の内容で良い場合に書込み処理を開始する場合は開始するための操作を行い、表示手段の内容では良くない場合に書込み処理を中止する場合は中止するための操作を行う。
この場合における制御情報の出力の流れの一例を以下に説明する。
１）   使用者は、出力したい制御情報に応じた操作を行う。
２）   情報の処理手段は、操作に応じた制御情報を記憶手段から抽出する。
３）   情報の処理手段は、抽出した制御情報によって得られる結果を、表示手段を用いて表示する。
４）   使用者は、表示を確認する。
５）   使用者は、表示の確認の結果、書込みを行う場合は、記憶媒体を書込手段にセットし、操作手段を用いて開始するための操作を行い、書込みを開始する。
６）   使用者は、表示の確認の結果、書込みを行わない場合は、操作手段を用いて中止するための操作を行い、書込みを中止する。
７）   情報の処理手段は、開始するための操作が行われた場合は書込手段を用いて制御情報を記憶媒体に書き込む。中止のための操作が行われた場合は書込みを中止し、情報の処理を終了する。
【００４１】
表示手段は、情報を表示するための物である。表示手段は周知の物があり電化製品に応じて最適な物を用いればよく、詳細な説明を省略するが、例えば周知のものとしてディスプレイ、液晶ディスプレイ、有機ＥＬディスプレイ、プラズマディスプレイ、３Ｄディスプレイ、タッチパネル、などがある。
【実施例１】
【００４２】
発明を実施するための形態記載の電化製品において、読込手段により記憶媒体から情報を読み込むことで記憶媒体に制御情報が記憶されていないかを確認し、記憶媒体に制御情報が記憶されていない場合にのみ書込手段による制御情報の書込みを行うようにし、記憶媒体に書き込む制御情報の数を１つのみに限定する。
【００４３】
実施例１における制御情報の出力の流れの一例を以下に説明する。
１）   使用者は、書込みたい制御情報に応じた操作を行う。
２）   情報の処理手段は、操作に応じた制御情報を記憶手段から抽出する。
３）   使用者は、記憶媒体を書込手段/読込手段にセットする。
４）   情報の処理手段は、読込手段を用いて、記憶媒体の情報を読込、制御情報が記憶されているかどうかを確認する。
５）   情報の処理手段は、確認の結果、記憶媒体に制御情報が記憶されていない場合、制御情報の書込手段を用いて、抽出した制御情報を記憶媒体に書き込む。
６）   情報の処理手段は、確認の結果、記憶媒体に制御情報が記憶されている場合、書込み処理を中止する。
【実施例２】
【００４４】
発明を実施するための形態記載の電化製品において、予め互換情報を記憶手段に記憶しておき、読み込んだ制御情報と、互換情報と、を基に制御情報を抽出し、抽出した制御情報の書込みを行う。
【００４５】
互換情報は電化製品の買換えなどにより機種が変わり、記憶媒体から制御情報を読み込んだ際、読み込んだ制御情報が買換え後の電化製品に対応する制御情報では無い場合に、互換関係にある制御情報を抽出するための情報であり、予め制御情報毎に互換情報を決め記憶手段に記憶しておく。
【００４６】
互換情報は互換関係にある制御情報を抽出するための対応表のような情報である。説明の便宜上、機種が変わる前の電化製品を旧電化製品、機種が変わった後の電化製品を新電化製品、とし、旧電化製品の制御情報を旧制御情報、新電化製品の制御情報を新制御情報、とする。例えば、読み込んだ旧制御情報がキー情報であり識別子Ａ１２３４５（旧制御情報に対応する旧電化製品のプログラムがプログラムＡ）の場合、互換関係にある新制御情報は、キー情報として識別子ＡＡ１２３４５である、もしくはプログラムＡＡである、といったような情報である。読み込んだ旧制御情報がプログラムでありプログラムＡの場合は、互換関係にある新制御情報は、キー情報としてＡＡ１２３４５である、もしくはプログラムＡＡである、といったような情報である。
【００４７】
実施例２において新電化製品の処理手段は読込手段を用いて読み込んだ旧制御情報と、互換情報と、を基に読み込んだ旧制御情報と互換関係にある新制御情報を抽出し、記憶媒体に抽出した新制御情報の書込みを行う。
【００４８】
実施例２における情報の処理手段の処理の流れを説明する。
１）    使用者は、記憶媒体を書込手段/読込手段にセットする。
２）    情報の処理手段は、読込手段を用いて、記憶媒体から制御情報を読み込む。
３）    情報の処理手段は、読み込んだ制御情報と、互換情報と、を基に、互換関係にある制御情報を抽出する。
４）    情報の処理手段は、書込手段を用いて抽出した制御情報を記憶媒体に書込む。
【実施例３】
【００４９】
発明を実施するための形態記載の電化製品において、予め互換情報を記憶手段に記憶しておき、読み込んだ制御情報と、互換情報と、を基に制御情報を抽出し、抽出した制御情報を基に電化製品の制御を行う。
【００５０】
実施例３において新電化製品の処理手段は読込手段を用いて読み込んだ旧制御情報と、互換情報と、を基に読み込んだ旧制御情報と互換関係にある新制御情報を抽出し、抽出した新制御情報を基に電化製品の制御を行う。
【００５１】
実施例３における情報の処理手段の処理の流れを説明する。
１）    使用者は、記憶媒体を書込手段/読込手段にセットする。
２）    情報の処理手段は、読込手段を用いて、記憶媒体から制御情報を読み込む。
３）    情報の処理手段は、読み込んだ制御情報と、互換情報と、を基に、互換関係にある制御情報を抽出する。
４）    情報の処理手段は、抽出した制御情報を基に電化製品の制御を行う。
【実施例４】
【００５２】
発明を実施するための形態記載の電化製品において、予め互換情報を記憶手段に記憶しておき、読み込んだ制御情報と互換情報とを基に制御情報を抽出し、抽出した制御情報の書込みを行う。
【００５３】
実施例４において電化製品の処理手段は読込手段を用いて読み込んだ制御情報が対応する制御情報か確認し、対応する制御情報ではない場合は、互換情報を基に読み込んだ制御情報と互換関係にある制御情報を抽出し、記憶媒体に抽出した制御情報の書込みを行う。
【００５４】
実施例４における情報の処理手段の処理の流れを説明する。
１）    使用者は、記憶媒体を書込手段/読込手段にセットする。
２）    情報の処理手段は、読込手段を用いて、記憶媒体から制御情報を読み込む。
３）    情報の処理手段は、読み込んだ制御情報が対応する制御情報であるか確認する。
４）    情報の処理手段は、読み込んだ制御情報が対応する制御情報であった場合は、制御情報を基に電化製品の制御を行う、
５）    情報の処理手段は、読み込んだ制御情報が対応する制御情報でなかった場合は、読み込んだ制御情報と、互換情報と、を基に、互換関係にある制御情報を抽出する。
６）    情報の処理手段は、書込手段を用いて抽出した制御情報を記憶媒体に書込む。
【実施例５】
【００５５】
発明を実施するための形態記載の電化製品において、予め互換情報を記憶手段に記憶しておき、読み込んだ制御情報と互換情報とを基に制御情報を抽出し、抽出した制御情報を基に電化製品の制御を行う。
【００５６】
実施例５において電化製品の処理手段は読込手段を用いて読み込んだ制御情報が対応する制御情報か確認し、対応する制御情報ではない場合は、互換情報を基に読み込んだ制御情報と互換関係にある制御情報を抽出し、抽出した制御情報を基に電化製品の制御を行う。
【００５７】
実施例５における情報の処理手段の処理の流れを説明する。
１）    使用者は、記憶媒体を書込手段/読込手段にセットする。
２）    情報の処理手段は、読込手段を用いて、記憶媒体から制御情報を読み込む。
３）    情報の処理手段は、読み込んだ制御情報が対応する制御情報であるか確認する。
４）    情報の処理手段は、読み込んだ制御情報が対応する制御情報であった場合は、制御情報を基に電化製品の制御を行う、
５）    情報の処理手段は、読み込んだ制御情報が対応する制御情報でなかった場合は、読み込んだ制御情報と、互換情報と、を基に、互換関係にある制御情報を抽出する。
６）    情報の処理手段は抽出した制御情報を基に電化製品の制御を行う。
【実施例６】
【００５８】
発明を実施するための形態記載の電化製品において、予め互換情報を記憶手段に記憶しておき、制御情報を書き込む際に、書き込む制御情報以外の制御情報が記憶媒体に記憶されているか確認し、記憶されていない場合は制御情報の書込みを行い、記憶されている場合は記憶されている制御情報が書き込む制御情報と互換関係にあるか確認し、互換関係にある場合は制御情報の書込みを行うようにし、記憶媒体に書き込む制御情報を１種類に限定する。
【００５９】
実施例６における情報の処理手段の処理の流れを説明する。
１）    使用者は、書込みたい制御情報に応じた操作を行う。
２）    情報の処理手段は、操作に応じた制御情報を記憶手段から抽出する。
３）    使用者は、記憶媒体を書込手段/読込手段にセットする。
４）    情報の処理手段は、読込手段を用いて、記憶媒体から情報を読み込み、制御情報が記憶媒体に記憶されているかどうかを確認する。
５）    情報の処理手段は、確認の結果、制御情報が記憶されていない場合は制御情報の書込みを行う。
６）    情報の処理手段は、確認の結果、制御情報が記憶されている場合は、互換情報を基に、記憶されている情報が抽出した制御情報と互換関係にあるかを確認する。
７）    情報の処理手段は、確認の結果、記憶されている制御情報が抽出した制御情報と互換関係である場合、制御情報の書込みを行う。
８）    情報の処理手段は、確認の結果、記憶されている制御情報が抽出した制御情報と互換関係ではない場合、制御情報の書込みを中止する。
【実施例７】
【００６０】
実施例１、実施例２、実施例３、実施例４、実施例５、実施例６、の電化製品において磁力スイッチを具備し、読込手段の制御情報の読み込みが磁力スイッチと連動して行われるように構成し、記憶媒体に磁力スイッチを動作させるための磁石もしくは磁性体を具備し、記憶媒体を電化製品にセットするだけで、電化製品の電源入力がオンとなり制御が開始されるように構成する。この際、確認のために制御を開始する前に準備状態で待機し開始情報待ちとしても良い。
【００６１】
実施例７における電化製品の制御の流れの一例を以下に説明する。
１）    使用者は、記憶媒体を読込手段にセットする。
２）    磁力スイッチが作動し、情報の処理手段が起動し、情報の処理手段が読込手段を用いて、記憶媒体から制御情報を読み込む。
３）    情報の処理手段は読み込んだ制御情報を基に電化製品の制御を行う。
【実施例８】
【００６２】
製品情報の抽出表示装置を、制御情報の読込手段と、記憶手段と、表示手段と、情報の処理手段と、から、記憶媒体から制御情報を読込み、読み込んだ制御情報を基に製品情報を抽出し表示するように構成する。
【００６３】
製品情報の抽出表示装置は、所有している電化製品において、どのような機能を使っているかを基に製品情報を抽出し表示するものである。
【００６４】
実施例８において、記憶手段には予め製品情報を記憶しておくか、ネットワークの接続手段を具備し、ネットワークを介して製品情報を取得し記憶手段に記憶できるようにする。
制御情報毎に、製品情報として、製品の性能などの情報、機能（制御情報）、など製品に関する情報を予め関連づけて記憶しておき、制御情報毎に、製品情報としての、製品の性能などの情報、機能（新制御情報）、など製品に関する情報を抽出できるようにする。
【００６５】
製品情報の表示装置は記憶媒体に記憶されている制御情報を基に、製品情報を抽出し表示する。
【００６６】
実施例８における制御情報の出力の流れの一例を以下に説明する。
１）   記憶媒体を読込手段にセットする。
２）   情報の処理手段は、読込手段を用いて、記憶媒体から制御情報を読み込む。
３）   情報の処理手段は、読み込んだ制御情報を基に製品情報を記憶手段から抽出する。
４）   情報の処理手段は、抽出した製品情報を表示手段を用いて表示する。
【００６７】
また書込手段を具備し、記憶媒体に機能（新制御情報）を書き込めるようにすることがより望ましい。
【手続補正２】
【補正対象書類名】特許請求の範囲
【補正対象項目名】全文
【補正方法】変更
【補正の内容】
【特許請求の範囲】
【請求項１】
電化製品を制御するための情報である制御情報を記憶媒体に書込むことができ、書き込む制御情報の数を１つに限定することができる電化製品であって、
電化製品を操作するための操作手段と、
情報を記憶するための情報の記憶手段と、
情報を処理するための情報の処理手段と、
情報を記憶媒体に書き込むための情報の書込手段と、
情報を記憶媒体から読み込むための情報の読込手段と、
を具備し、
前記処理手段が、
前記操作手段の操作に応じて前記記憶手段から制御情報を抽出するステップと、
前記読込手段を用いて記憶媒体から情報を読み込み、制御情報が記憶媒体に記憶されているかどうかを確認するステップと、
記憶媒体に制御情報が記憶されている場合は、抽出した制御情報の書込みを行わないステップと、
記憶媒体に制御情報が記憶されていない場合は、記憶媒体に前記書込手段を用いて抽出した制御情報の書込みを行うステップと、
を実行できる、
ことを特徴とする、電化製品。
【請求項２】
電化製品の機種の変更後、変更前の機種で使用していた機能と同様の機能を、変更後の機種でも同様の方法で使用できるように、互換関係にある制御情報を抽出し書込み可能な電化製品であって、
情報を記憶するための情報の記憶手段と、
情報を処理するための情報の処理手段と、
情報を記憶媒体に書き込むための情報の書込手段と、
情報を記憶媒体から読み込むための情報の読込手段と、
を具備し、
前記記憶手段に、制御情報と、互換関係にある制御情報を抽出するための情報としての互換情報と、を予め記憶し、
前記処理手段が、
記憶媒体から前記読込手段を用いて制御情報を読込むステップと、
読み込んだ制御情報と、前記記憶手段に記憶されている互換情報と、を基に、互換関係にある制御情報を前記記憶手段から抽出するステップと、
前記書込手段を用いて、抽出した互換関係にある制御情報を記憶媒体に書込むステップと、
を実行できることを特徴とする、電化製品。
【請求項３】
電化製品の機種の変更後、変更前の機種で使用していた機能と同様の機能を、変更後の機種でも同様の方法で使用できるように、互換関係にある制御情報を抽出し制御可能な電化製品であって、
情報を記憶するための情報の記憶手段と、
情報を処理するための情報の処理手段と、
情報を記憶媒体に書き込むための情報の書込手段と、
情報を記憶媒体から読み込むための情報の読込手段と、
を具備し、
前記記憶手段に、制御情報と、互換関係にある制御情報を抽出するための情報としての互換情報と、を予め記憶し、
前記処理手段が、
記憶媒体から前記読込手段を用いて制御情報を読込むステップと、
読み込んだ制御情報と、前記記憶手段に記憶されている互換情報と、を基に、互換関係にある制御情報を前記記憶手段から抽出するステップと、
抽出した制御情報を基に制御を行うステップと、
を実行できることを特徴とする、電化製品。
【請求項４】
電化製品の機種の変更後、変更前の機種で使用していた機能と同様の機能を、変更後の機種でも同様の方法で使用できるように、互換関係にある制御情報を抽出し書込み可能な電化製品であって、
情報を記憶するための情報の記憶手段と、
情報を処理するための情報の処理手段と、
情報を記憶媒体に書き込むための情報の書込手段と、
情報を記憶媒体から読み込むための情報の読込手段と、
を具備し、
前記記憶手段に、制御情報と、互換関係にある制御情報を抽出するための情報としての互換情報と、を予め記憶し、
前記処理手段が、
前記読込手段を用いて記憶媒体から制御情報を読み込むステップと、
読み込んだ制御情報が対応する制御情報であるか確認するステップと、
読み込んだ制御情報が対応する制御情報であった場合は、制御情報を基に電化製品の制御を行うステップと、
読み込んだ制御情報が対応する制御情報でなかった場合は、読み込んだ制御情報と、互換情報と、を基に互換関係にある制御情報を抽出し、抽出した制御情報を前記書込手段を用いて記憶媒体に書込むステップと、
を実行できることを特徴とする、電化製品。
【請求項５】
電化製品の機種の変更後、変更前の機種で使用していた機能と同様の機能を、変更後の機種でも同様の方法で使用できるように、互換関係にある制御情報を抽出し制御可能な電化製品であって、
情報を記憶するための情報の記憶手段と、
情報を処理するための情報の処理手段と、
情報を記憶媒体に書き込むための情報の書込手段と、
情報を記憶媒体から読み込むための情報の読込手段と、
を具備し、
前記記憶手段に、制御情報と、互換関係にある制御情報を抽出するための情報としての互換情報と、を予め記憶し、
前記処理手段が、
前記読込手段を用いて記憶媒体から制御情報を読み込むステップと、
読み込んだ制御情報が対応する制御情報であるか確認するステップと、
読み込んだ制御情報が対応する制御情報であった場合は、制御情報を基に電化製品の制御を行うステップと、
読み込んだ制御情報が対応する制御情報でなかった場合は、読み込んだ制御情報と、互換情報と、を基に互換関係にある制御情報を抽出し、抽出した制御情報を基に制御を行うステップと、
を実行できることを特徴とする、電化製品。
【請求項６】
電化製品を制御するための情報である制御情報を記憶媒体に書込むことができ、書き込む制御情報の種類を１種類に限定することができる電化製品であって、
電化製品を操作するための操作手段と、
情報を記憶するための情報の記憶手段と、
情報を処理するための情報の処理手段と、
情報を記憶媒体に書き込むための情報の書込手段と、
情報を記憶媒体から読み込むための情報の読込手段と、
を具備し、
前記記憶手段に、制御情報と、互換情報と、を予め記憶し、
前記処理手段が、
前記操作手段の操作に応じて前記記憶手段から制御情報を抽出するステップと、
前記読込手段を用いて記憶媒体から情報を読み込み、記憶媒体に制御情報が記憶されているかどうかを確認するステップと、
記憶媒体に制御情報が記憶されていない場合は、抽出した制御情報を、前記書込手段を用いて記憶媒体に書込むステップと、
記憶媒体に制御情報が記憶されている場合は、記憶されている制御情報が抽出した制御情報と互換関係にあるかを確認するステップと、
互換関係にある場合は、抽出した制御情報を、前記書込手段を用いて記憶媒体に書込むステップと、
互換関係にない場合は、抽出した制御情報の書込みを行わないステップと、
を実行できることを特徴とする、電化製品。
【請求項７】
記憶媒体をセットするだけで目的の結果を得ることができる電化製品であって、
請求項１、請求項６、の少なくとも１つ記載の電化製品において、
磁力により接点のオンとオフを切り替える切換え手段を具備し、
記憶媒体から制御情報を読み込み、読み込んだ制御情報を基に制御を開始するステップ、
を前記切換え手段に連動して実行できること、を特徴とする、電化製品。
【請求項８】
所有している電化製品において使っている機能、としての制御情報を基に製品情報を抽出し表示できる装置であって、
情報を記憶するための情報の記憶手段と、
情報を処理するための情報の処理手段と、
記憶媒体から情報を読み込むための情報の読込手段と、
情報を表示するための情報の表示手段と、
からなり、
前記処理手段が、
前記読込手段を用いて記憶媒体から制御情報を読み込むステップと、
記憶媒体から読み込んだ制御情報を基に製品情報の抽出を行うステップと、
抽出した製品情報を、前記表示手段を用いて表示するステップと、
を実行できることを特徴とする、製品情報の抽出表示装置。
【請求項９】
所有している電化製品において使っている機能、としての制御情報を基に製品情報を抽出し表示する方法であって、
情報を記憶するための情報の記憶手段と、
情報を処理するための情報の処理手段と、
記憶媒体から情報を読み込むための情報の読込手段と、
情報を表示するための情報の表示手段と、
からなる製品情報の抽出表示装置によってなされ、
前記読込手段を用いて記憶媒体から制御情報を読み込むステップと、
記憶媒体から読み込んだ制御情報を基に製品情報の抽出を行うステップと、
抽出した製品情報を、前記表示手段を用いて表示するステップと、
を含むことを特徴とする、製品情報の抽出表示方法。
【請求項１０】
所有している電化製品において使っている機能、としての制御情報を基に製品情報を抽出し表示できる装置であって、
情報を記憶するための情報の記憶手段と、
情報を処理するための情報の処理手段と、
記憶媒体から情報を読み込むための情報の読込手段と、
情報を表示するための情報の表示手段と、
記憶媒体に情報を書き込むための情報の書込手段と、
からなり、
前記処理手段が、
前記読込手段を用いて記憶媒体から制御情報を読み込むステップと、
記憶媒体から読み込んだ制御情報を基に、制御情報を含む製品情報の抽出を行うステップと、
抽出した制御情報を含む製品情報を、前記表示手段を用いて表示するステップと、
抽出した制御情報を、前記書込手段を用いて記憶媒体に書き込むステップと、
を実行できることを特徴とする、製品情報の抽出表示装置。
【手続補正書】
【提出日】平成27年9月24日(2015.9.24)
【手続補正１】
【補正対象書類名】明細書
【補正対象項目名】全文
【補正方法】変更
【補正の内容】
【発明の詳細な説明】
【技術分野】
【０００１】
本発明は、主に、電化製品に関するものである。
【背景技術】
【０００２】
従来、家電製品および電気制御可能な製品（以下両方を合わせて説明の便宜上電化製品とする）、は周知の制御方法によって制御されている。
（例えば非特許文献１、特許文献２、非特許文献３、非特許文献４、参照）  
【０００３】
電化製品としては周知の物として、映像を表示するためのテレビ、映像を録画するための録画用デッキ、録画された映像を再生するための再生用デッキ、洗濯をするための
洗濯機、乾燥をするための乾燥機、洗濯および乾燥をするための洗濯乾燥機、加熱調理をするための電子レンジ、加熱調理をするためのオーブントースター、パソコン、カメラ、扇風機、ファンヒーター、オイルヒーター、空気清浄機、除湿機、マッサージ機、室温や湿度を調整するためのエアコン、などがあり、上記以外にも周知の物が多くある。
（例えば非特許文献２、非特許文献３、非特許文献４、参照）
また、スマート家電といった、携帯端末を用いて操作可能な電化製品がある。
【先行技術文献】
【非特許文献】
【０００４】
【非特許文献１】門田和雄著、「今日からモノ知りシリーズトコトンやさしい制御の    本」日刊工業新聞社出版、２０１１年７月２８日発行、１０‐１５６頁
【非特許文献２】佐藤銀平著、「化学のはたらきシリーズ第１巻「家電製品がわかる    １」-アインシュタインの冷蔵庫-」東京書籍株式会社出版、２００８年１月３０日、    １２‐２１６頁
【非特許文献３】佐藤銀平著、「化学のはたらきシリーズ第２巻「家電製品がわかる    ２」-相対性理論で正しく動くＧＰＳ-」東京書籍株式会社出版、２００８年１月３０    日、２‐２１７頁
【非特許文献４】安藤龍男発行、「家電製品エンジニア資格生活家電の基礎と製品技    術」日本放送出版協会発行、２００１年５月３０日、１‐４３７頁
【発明の概要】
【発明が解決しようとする課題】
【０００５】
電化製品の操作（扱い）は不慣れな者にとっては難しく、製品の性能を十分に使いこなすことができないといった課題があった。
【０００６】
スマート家電は携帯端末による操作を可能とし操作性は向上しているが数多の機能の中から使いたい機能を探し選択する必要があり、扱いに不慣れな者にとっては難しく、製品の性能を十分に使いこなすことが難しかった。
【０００７】
また、電化製品の操作に慣れた者が、電化製品の操作に不慣れな者に、電化製品の操作を説明することはよくあることであるが、電化製品の操作に不慣れな者が操作の習熟に至ることは、容易ではなかった。
【０００８】
従来の電化製品は、買換えなどにより機種が変わると、操作方法が変わり、新たに操作方法を覚える必要があった。
これは、使用者にとっては負担となっていた。
【０００９】
本発明は、電化製品の操作に不慣れな者が製品の性能を十分に使いこなすことができるよう、電化製品の操作に慣れた者が簡易な方法を準備できるようにし、電化製品の操作の慣れた者と同様の操作結果を得ることを可能とし、且つ、記憶媒体に制御情報を、１つのみ、もしくは互換関係にある情報１種類のみ、に限定して書込みできるようにし、使用者が用いる制御情報を機械上で選択する必要をなくす、ことを目的としている。
【００１０】
また、買換え前の電化製品の制御に関する情報から、互換情報を基に、買換え後の電化製品の制御に関する情報を容易に得ることができるようにし、買い替えなどによる使用者の負担を減らすことも目的としている。
【課題を解決するための手段】
【００１１】
課題を解決するための請求項１記載の電化製品は、電化製品を制御するための情報である制御情報を記憶媒体に書込むことができ、書き込む制御情報の数を１つに限定することができる電化製品であって、電化製品を操作するための操作手段と、情報を記憶するための情報の記憶手段と、情報を処理するための情報の処理手段と、情報を記憶媒体に書き込むための情報の書込手段と、情報を記憶媒体から読み込むための情報の読込手段と、を具備し、前記処理手段が、前記操作手段の操作に応じて前記記憶手段から制御情報を抽出するステップと、前記読込手段を用いて記憶媒体から情報を読み込み、制御情報が記憶媒体に記憶されているかどうかを確認するステップと、記憶媒体に制御情報が記憶されている場合は、抽出した制御情報の書込みを行わないステップと、記憶媒体に制御情報が記憶されていない場合は、記憶媒体に前記書込手段を用いて抽出した制御情報の書込みを行うステップと、を実行できる、ことを特徴としている。
【００１２】
課題を解決するための請求項２記載の電化製品は、電化製品の機種の変更後、変更前の機種で使用していた機能と同様の機能を、変更後の機種でも同様の方法で使用できるように、互換関係にある別の制御情報を抽出し書込み可能な電化製品であって、情報を記憶するための情報の記憶手段と、情報を処理するための情報の処理手段と、情報を記憶媒体に書き込むための情報の書込手段と、情報を記憶媒体から読み込むための情報の読込手段と、を具備し、前記記憶手段に、制御情報と、互換関係にある別の制御情報を抽出するための情報としての互換情報と、を予め記憶し、前記処理手段が、記憶媒体から前記読込手段を用いて制御情報を読込むステップと、読み込んだ制御情報と、前記記憶手段に記憶されている互換情報と、を基に、互換関係にある別の制御情報を前記記憶手段から抽出するステップと、前記書込手段を用いて、抽出した互換関係にある別の制御情報を記憶媒体に書込むステップと、を実行できることを特徴としている。
【００１３】
課題を解決するための請求項３記載の電化製品は、電化製品の機種の変更後、変更前の機種で使用していた機能と同様の機能を、変更後の機種でも同様の方法で使用できるように、互換関係にある別の制御情報を抽出し制御可能な電化製品であって、情報を記憶するための情報の記憶手段と、情報を処理するための情報の処理手段と、情報を記憶媒体に書き込むための情報の書込手段と、情報を記憶媒体から読み込むための情報の読込手段と、を具備し、前記記憶手段に、制御情報と、互換関係にある別の制御情報を抽出するための情報としての互換情報と、を予め記憶し、前記処理手段が、記憶媒体から前記読込手段を用いて制御情報を読込むステップと、読み込んだ制御情報と、前記記憶手段に記憶されている互換情報と、を基に、互換関係にある別の制御情報を前記記憶手段から抽出するステップと、抽出した互換関係にある別の制御情報を基に制御を行うステップと、を実行できることを特徴としている。
【００１４】
課題を解決するための請求項４記載の電化製品は、電化製品を制御するための情報である制御情報を記憶媒体に書込むことができ、書き込む制御情報の種類を１種類に限定することができる電化製品であって、電化製品を操作するための操作手段と、情報を記憶するための情報の記憶手段と、情報を処理するための情報の処理手段と、情報を記憶媒体に書き込むための情報の書込手段と、情報を記憶媒体から読み込むための情報の読込手段と、
を具備し、前記記憶手段に、制御情報と、互換情報と、を予め記憶し、前記処理手段が、前記操作手段の操作に応じて前記記憶手段から制御情報を抽出するステップと、前記読込手段を用いて記憶媒体から情報を読み込み、記憶媒体に制御情報が記憶されているかどうかを確認するステップと、記憶媒体に制御情報が記憶されていない場合は、抽出した制御情報を、前記書込手段を用いて記憶媒体に書込むステップと、記憶媒体に制御情報が記憶されている場合は、記憶されている制御情報が抽出した制御情報と互換関係にあるかを確認するステップと、互換関係にある場合は、抽出した制御情報を、前記書込手段を用いて記憶媒体に書込むステップと、互換関係にない場合は、抽出した制御情報の書込みを行わないステップと、を実行できることを特徴としている。
【００１５】
課題を解決するための請求項５記載の電化製品は、記憶媒体をセットするだけで目的の結果を得ることができる電化製品であって、請求項１、請求項４、の少なくとも１つ記載の電化製品において、磁力により接点のオンとオフを切り替える切換え手段を具備し、記憶媒体から制御情報を読み込み、読み込んだ制御情報を基に制御を開始するステップ、を前記切換え手段に連動して実行できること、を特徴としている。
【発明の効果】
【００１６】
上述したように本発明の電化製品は、電化製品の操作に慣れた者が、電化製品の操作の結果としての制御情報を記憶媒体に書き込む（保存する）ことができ、電化製品の操作に不慣れな者が、制御情報が書き込まれている記憶媒体を用いることで電化製品の操作の慣れた者と同様の操作結果を得ることが可能となり、製品の性能を十分に使いこなすことが可能となる。
【００１７】
上述したように本発明の電化製品は、記憶媒体に制御情報を、１つのみ書込みもしくは互換関係にある情報１種類のみを書込みすることができ、使用者が用いる制御情報を機械上で選択する必要が無くなり記憶媒体を電化製品にセットするだけで目的の結果を得ることができるようになる。
【００１８】
上述したように本発明の電化製品は、買換え前の電化製品の制御に関する情報から、互換情報を基に、買換え後の電化製品の制御に関する情報を容易に得ることができるようになり、買い替えなどによる使用者の負担を減らすことができ、販売の抑止力を軽減することができる。
【発明を実施するための形態】
【００１９】
書込手段と、読込み手段と、操作手段と、情報の処理手段と、情報の記憶手段と、から、記憶媒体に制御情報を書込み可能なように構成し、電化製品に具備する。書込手段と読込手段は１つの物として構成し、書込手段/読込手段とすることが望ましい。
【００２０】
書込手段は、電化製品を制御するための情報としての制御情報を、記憶媒体に書込む（保存する、記憶する）ための物である。書き込み手段は周知の物があり、最適な物を用いればよく、詳細な説明を省略するが、例えば、周知の物としてICカードライタ、メモリカードライタ、ＵＳＢメモリライタ、ディスクドライブ、ＭＯ，などがある。書込手段の種類により書込み可能な状態が異なるが、説明の便宜上、書込手段による情報の書き込みが可能な状態にすることを、以下、書込手段にセットする、とする。
【００２１】
書込手段にセットする、の例としては、書込手段が非接触型の書込手段の場合は書込み位置に記憶媒体を持っていき書込みを待つ、書込手段が接触型の書込手段の場合は記憶媒体を書込手段に接続し書込みを待つ、ようにすればよい。
【００２２】
読込手段は、情報を、記憶媒体から読み込むための物である。読込手段は周知の物があり、最適な物を用いればよく、詳細な説明を省略するが、例えば、周知の物としてＩＣカードリーダ、メモリカードリーダ、ＵＳＢメモリリーダ、ディスクドライブ、ＭＯ、などがある。読込手段の種類により書込み可能な状態が異なるが、説明の便宜上、読込手段による情報の読み込みが可能な状態にすることを、以下、読込手段にセットする、とする。
【００２３】
読込手段にセットする、の例としては、読込手段が非接触型の書込手段の場合は読込位置に記憶媒体を持っていき読み込みを待つ、読込手段が接触型の読込手段の場合は記憶媒体を読込手段に接続し読み込みを待つ、ようにすればよい。
【００２４】
情報の処理手段は、電化製品の制御に関する情報の処理を行うための物である。情報の処理手段は周知の物があり、最適な物を用いればよく、詳細な説明を省略するが、例えば、周知のものとしてＣＰＵ（制御/演算装置）、ＭＰＵ（制御/演算装置）などがある。
【００２５】
情報の記憶手段は、情報を記憶するための物である。情報の記憶手段は周知の物があり、最適な物を用いればよく、詳細な説明を省略するが、例えば、周知の物としてメモリ、記憶装置、主記憶装置、補助記憶装置、ハードディスク、などがある。
【００２６】
記憶媒体は、電化製品の記憶手段とは別に制御情報を記憶するための物である。記憶媒体は周知の物があり、最適な物を用いればよく、詳細な説明を省略するが、例えば、周知の物としてＩＣカード、メモリカード、ＵＳＢメモリ、光ディスク、ＭＯ、などがある。
【００２７】
操作手段は、電化製品の操作を行うための物である。操作手段は周知の物があり、電化製品に応じて最適な物を用いればよく、詳細な説明を省略するが、例えば、周知の物として、スイッチ、リモートコントローラー、タッチパネル、キーボードなどがある。
操作手段を用いて操作を行い所定の制御および情報の処理を実行する方法は周知であり、本発明の特徴とする部分では無く省略するが、操作に応じて所定の制御および情報の処理が行われるのであれば形状や構成を限定する物ではない。このときの制御および情報の処理などは、情報の処理手段が制御および処理し、制御および処理のためのプログラムは予め記憶手段に記憶しておく。
【００２８】
制御情報は、電化製品を制御するためのプログラムや、電化製品を制御するためのプログラムを選択するためのキー情報や、など制御情報を読み込んだ電化製品が、所定の動作を行うことができる物であればよい。
【００２９】
制御情報をプログラムとする場合は、操作に応じてどのプログラムを出力(書込み)するか、を予め電化製品の記憶手段に記憶しておき、操作に応じたプログラムを出力（書込み）する。
【００３０】
制御情報をキー情報とする場合は、操作に応じてどのキー情報を出力するか、と、キー情報を読み込んだ際どのプログラムを実行するか、と、を予め記憶手段に記憶しておき、操作に応じたキー情報の出力、と、読み込んだキー情報に応じたプログラムの実行、とを行えるようにする。また、キー情報に電化製品の種類や型番を特定するための情報を含むようにし、より細かにプログラムとの対応関係を設定しても良い。キー情報は識別子のような情報で良い。例えば、キー情報をＡ１２３４５対応するプログラムがプログラムＡ、キー情報をＢ５６７８９対応するプログラムがプログラムＢのようにキー情報毎に対応するプログラムを予め設定しておく。
【００３１】
電化製品をプログラムの実行によって制御する、方法、手段、は本発明の特徴とする部分ではなく周知であり詳細な説明は省略するが、電化製品の種類に応じて最適なものを用いればよい。
【００３２】
制御情報の出力の流れの一例を以下に説明する。
１）   使用者は、出力したい制御情報に応じた操作を行う。
２）   電化製品の情報の処理手段は、操作に応じた制御情報を記憶手段から抽出する。
３）   使用者は、記憶媒体を書込手段にセットする。
４）   電化製品の情報の処理手段は、書込手段を用いて、抽出した制御情報を記憶媒体に書き込む（記憶する）。
【００３３】
また、表示手段を具備し、書き込む内容を確認した後に書込みの処理ができるようにすることがより望ましい。この場合、表示手段の内容で良い場合に書込み処理を開始する場合は開始するための操作を行い、表示手段の内容では良くない場合に書込み処理を中止する場合は中止するための操作を行う。
この場合における制御情報の出力の流れの一例を以下に説明する。
１）   使用者は、出力したい制御情報に応じた操作を行う。
２）   情報の処理手段は、操作に応じた制御情報を記憶手段から抽出する。
３）   情報の処理手段は、抽出した制御情報によって得られる結果を、表示手段を用いて表示する。
４）   使用者は、表示を確認する。
５）   使用者は、表示の確認の結果、書込みを行う場合は、記憶媒体を書込手段にセットし、操作手段を用いて開始するための操作を行い、書込みを開始する。
６）   使用者は、表示の確認の結果、書込みを行わない場合は、操作手段を用いて中止するための操作を行い、書込みを中止する。
７）   情報の処理手段は、開始するための操作が行われた場合は書込手段を用いて制御情報を記憶媒体に書き込む。中止のための操作が行われた場合は書込みを中止し、情報の処理を終了する。
【００３４】
表示手段は、情報を表示するための物である。表示手段は周知の物があり電化製品に応じて最適な物を用いればよく、詳細な説明を省略するが、例えば周知のものとしてディスプレイ、液晶ディスプレイ、有機ＥＬディスプレイ、プラズマディスプレイ、３Ｄディスプレイ、タッチパネル、などがある。
【実施例１】
【００３５】
発明を実施するための形態記載の電化製品において、読込手段により記憶媒体から情報を読み込むことで記憶媒体に制御情報が記憶されていないかを確認し、記憶媒体に制御情報が記憶されていない場合にのみ書込手段による制御情報の書込みを行うようにし、記憶媒体に書き込む制御情報の数を１つのみに限定する。
【００３６】
実施例１における制御情報の出力の流れの一例を以下に説明する。
１）   使用者は、書込みたい制御情報に応じた操作を行う。
２）   情報の処理手段は、操作に応じた制御情報を記憶手段から抽出する。
３）   使用者は、記憶媒体を書込手段/読込手段にセットする。
４）   情報の処理手段は、読込手段を用いて、記憶媒体の情報を読込、制御情報が記憶されているかどうかを確認する。
５）   情報の処理手段は、確認の結果、記憶媒体に制御情報が記憶されていない場合、制御情報の書込手段を用いて、抽出した制御情報を記憶媒体に書き込む。
６）   情報の処理手段は、確認の結果、記憶媒体に制御情報が記憶されている場合、書込み処理を中止する。
【実施例２】
【００３７】
発明を実施するための形態記載の電化製品において、予め互換情報を記憶手段に記憶しておき、読み込んだ制御情報と、互換情報と、を基に制御情報を抽出し、抽出した制御情報の書込みを行う。
【００３８】
互換情報は電化製品の買換えなどにより機種が変わり、記憶媒体から制御情報を読み込んだ際、読み込んだ制御情報が買換え後の電化製品に対応する制御情報では無い場合に、互換関係にある制御情報を抽出するための情報であり、予め制御情報毎に互換情報を決め記憶手段に記憶しておく。
【００３９】
互換情報は互換関係にある制御情報を抽出するための対応表のような情報である。説明の便宜上、機種が変わる前の電化製品を旧電化製品、機種が変わった後の電化製品を新電化製品、とし、旧電化製品の制御情報を旧制御情報、新電化製品の制御情報を新制御情報、とする。例えば、読み込んだ旧制御情報がキー情報であり識別子Ａ１２３４５（旧制御情報に対応する旧電化製品のプログラムがプログラムＡ）の場合、互換関係にある新制御情報は、キー情報として識別子ＡＡ１２３４５である、もしくはプログラムＡＡである、といったような情報である。読み込んだ旧制御情報がプログラムでありプログラムＡの場合は、互換関係にある新制御情報は、キー情報としてＡＡ１２３４５である、もしくはプログラムＡＡである、といったような情報である。
【００４０】
実施例２において新電化製品の処理手段は読込手段を用いて読み込んだ旧制御情報と、互換情報と、を基に読み込んだ旧制御情報と互換関係にある新制御情報を抽出し、記憶媒体に抽出した新制御情報の書込みを行う。
【００４１】
実施例２における情報の処理手段の処理の流れを説明する。
１）    使用者は、記憶媒体を書込手段/読込手段にセットする。
２）    情報の処理手段は、読込手段を用いて、記憶媒体から制御情報を読み込む。
３）    情報の処理手段は、読み込んだ制御情報と、互換情報と、を基に、互換関係にある制御情報を抽出する。
４）    情報の処理手段は、書込手段を用いて抽出した制御情報を記憶媒体に書込む。
【実施例３】
【００４２】
発明を実施するための形態記載の電化製品において、予め互換情報を記憶手段に記憶しておき、読み込んだ制御情報と、互換情報と、を基に制御情報を抽出し、抽出した制御情報を基に電化製品の制御を行う。
【００４３】
実施例３において新電化製品の処理手段は読込手段を用いて読み込んだ旧制御情報と、互換情報と、を基に読み込んだ旧制御情報と互換関係にある新制御情報を抽出し、抽出した新制御情報を基に電化製品の制御を行う。
【００４４】
実施例３における情報の処理手段の処理の流れを説明する。
１）    使用者は、記憶媒体を書込手段/読込手段にセットする。
２）    情報の処理手段は、読込手段を用いて、記憶媒体から制御情報を読み込む。
３）    情報の処理手段は、読み込んだ制御情報と、互換情報と、を基に、互換関係にある制御情報を抽出する。
４）    情報の処理手段は、抽出した制御情報を基に電化製品の制御を行う。
【実施例４】
【００４５】
発明を実施するための形態記載の電化製品において、予め互換情報を記憶手段に記憶しておき、読み込んだ制御情報と互換情報とを基に制御情報を抽出し、抽出した制御情報の書込みを行う。
【００４６】
実施例４において電化製品の処理手段は読込手段を用いて読み込んだ制御情報が対応する制御情報か確認し、対応する制御情報ではない場合は、互換情報を基に読み込んだ制御情報と互換関係にある制御情報を抽出し、記憶媒体に抽出した制御情報の書込みを行う。
【００４７】
実施例４における情報の処理手段の処理の流れを説明する。
１）    使用者は、記憶媒体を書込手段/読込手段にセットする。
２）    情報の処理手段は、読込手段を用いて、記憶媒体から制御情報を読み込む。
３）    情報の処理手段は、読み込んだ制御情報が対応する制御情報であるか確認する。４）    情報の処理手段は、読み込んだ制御情報が対応する制御情報であった場合は、制御情報を基に電化製品の制御を行う、
５）    情報の処理手段は、読み込んだ制御情報が対応する制御情報でなかった場合は、読み込んだ制御情報と、互換情報と、を基に、互換関係にある制御情報を抽出する。
６）    情報の処理手段は、書込手段を用いて抽出した制御情報を記憶媒体に書込む。
【実施例５】
【００４８】
発明を実施するための形態記載の電化製品において、予め互換情報を記憶手段に記憶しておき、読み込んだ制御情報と互換情報とを基に制御情報を抽出し、抽出した制御情報を基に電化製品の制御を行う。
【００４９】
実施例５において電化製品の処理手段は読込手段を用いて読み込んだ制御情報が対応する制御情報か確認し、対応する制御情報ではない場合は、互換情報を基に読み込んだ制御情報と互換関係にある制御情報を抽出し、抽出した制御情報を基に電化製品の制御を行う。
【００５０】
実施例５における情報の処理手段の処理の流れを説明する。
１）    使用者は、記憶媒体を書込手段/読込手段にセットする。
２）    情報の処理手段は、読込手段を用いて、記憶媒体から制御情報を読み込む。
３）    情報の処理手段は、読み込んだ制御情報が対応する制御情報であるか確認する。４）    情報の処理手段は、読み込んだ制御情報が対応する制御情報であった場合は、制御情報を基に電化製品の制御を行う、
５）    情報の処理手段は、読み込んだ制御情報が対応する制御情報でなかった場合は、読み込んだ制御情報と、互換情報と、を基に、互換関係にある制御情報を抽出する。
６）    情報の処理手段は抽出した制御情報を基に電化製品の制御を行う。
【実施例６】
【００５１】
発明を実施するための形態記載の電化製品において、予め互換情報を記憶手段に記憶しておき、制御情報を書き込む際に、書き込む制御情報以外の制御情報が記憶媒体に記憶されているか確認し、記憶されていない場合は制御情報の書込みを行い、記憶されている場合は記憶されている制御情報が書き込む制御情報と互換関係にあるか確認し、互換関係にある場合は制御情報の書込みを行うようにし、記憶媒体に書き込む制御情報を１種類に限定する。
【００５２】
実施例６における情報の処理手段の処理の流れを説明する。
１）    使用者は、書込みたい制御情報に応じた操作を行う。
２）    情報の処理手段は、操作に応じた制御情報を記憶手段から抽出する。
３）    使用者は、記憶媒体を書込手段/読込手段にセットする。
４）    情報の処理手段は、読込手段を用いて、記憶媒体から情報を読み込み、制御情報が記憶媒体に記憶されているかどうかを確認する。
５）    情報の処理手段は、確認の結果、制御情報が記憶されていない場合は制御情報の書込みを行う。
６）    情報の処理手段は、確認の結果、制御情報が記憶されている場合は、互換情報を基に、記憶されている情報が抽出した制御情報と互換関係にあるかを確認する。
７）    情報の処理手段は、確認の結果、記憶されている制御情報が抽出した制御情報と互換関係である場合、制御情報の書込みを行う。
８）    情報の処理手段は、確認の結果、記憶されている制御情報が抽出した制御情報と互換関係ではない場合、制御情報の書込みを中止する。
【実施例７】
【００５３】
実施例１、実施例２、実施例３、実施例４、実施例５、実施例６、の電化製品において磁力スイッチを具備し、読込手段の制御情報の読み込みが磁力スイッチと連動して行われるように構成し、記憶媒体に磁力スイッチを動作させるための磁石もしくは磁性体を具備し、記憶媒体を電化製品にセットするだけで、電化製品の電源入力がオンとなり制御が開始されるように構成する。この際、確認のために制御を開始する前に準備状態で待機し開始情報待ちとしても良い。
【００５４】
実施例７における電化製品の制御の流れの一例を以下に説明する。
１）    使用者は、記憶媒体を読込手段にセットする。
２）    磁力スイッチが作動し、情報の処理手段が起動し、情報の処理手段が読込手段を用いて、記憶媒体から制御情報を読み込む。
３）    情報の処理手段は読み込んだ制御情報を基に電化製品の制御を行う。
【手続補正２】
【補正対象書類名】特許請求の範囲
【補正対象項目名】全文
【補正方法】変更
【補正の内容】
【特許請求の範囲】
【請求項１】
電化製品を制御するための情報である制御情報を記憶媒体に書込むことができ、書き込む制御情報の数を１つに限定することができる電化製品であって、
電化製品を操作するための操作手段と、
情報を記憶するための情報の記憶手段と、
情報を処理するための情報の処理手段と、
情報を記憶媒体に書き込むための情報の書込手段と、
情報を記憶媒体から読み込むための情報の読込手段と、
を具備し、
前記処理手段が、
前記操作手段の操作に応じて前記記憶手段から制御情報を抽出するステップと、
前記読込手段を用いて記憶媒体から情報を読み込み、制御情報が記憶媒体に記憶されているかどうかを確認するステップと、
記憶媒体に制御情報が記憶されている場合は、抽出した制御情報の書込みを行わないステップと、
記憶媒体に制御情報が記憶されていない場合は、記憶媒体に前記書込手段を用いて抽出した制御情報の書込みを行うステップと、
を実行できる、
ことを特徴とする、電化製品。
【請求項２】
電化製品の機種の変更後、変更前の機種で使用していた機能と同様の機能を、変更後の機種でも同様の方法で使用できるように、互換関係にある別の制御情報を抽出し書込み可能な電化製品であって、
情報を記憶するための情報の記憶手段と、
情報を処理するための情報の処理手段と、
情報を記憶媒体に書き込むための情報の書込手段と、
情報を記憶媒体から読み込むための情報の読込手段と、
を具備し、
前記記憶手段に、制御情報と、互換関係にある別の制御情報を抽出するための情報としての互換情報と、を予め記憶し、
前記処理手段が、
記憶媒体から前記読込手段を用いて制御情報を読込むステップと、
読み込んだ制御情報と、前記記憶手段に記憶されている互換情報と、を基に、互換関係にある別の制御情報を前記記憶手段から抽出するステップと、
前記書込手段を用いて、抽出した互換関係にある別の制御情報、を記憶媒体に書込むステップと、
を実行できることを特徴とする、電化製品。
【請求項３】
電化製品の機種の変更後、変更前の機種で使用していた機能と同様の機能を、変更後の機種でも同様の方法で使用できるように、互換関係にある別の制御情報を抽出し制御可能な電化製品であって、
情報を記憶するための情報の記憶手段と、
情報を処理するための情報の処理手段と、
情報を記憶媒体に書き込むための情報の書込手段と、
情報を記憶媒体から読み込むための情報の読込手段と、
を具備し、
前記記憶手段に、制御情報と、互換関係にある別の制御情報を抽出するための情報としての互換情報と、を予め記憶し、
前記処理手段が、
記憶媒体から前記読込手段を用いて制御情報を読込むステップと、
読み込んだ制御情報と、前記記憶手段に記憶されている互換情報と、を基に、互換関係にある別の制御情報を前記記憶手段から抽出するステップと、
抽出した互換関係にある別の制御情報、を基に制御を行うステップと、
を実行できることを特徴とする、電化製品。
【請求項４】
電化製品を制御するための情報である制御情報を記憶媒体に書込むことができ、書き込む制御情報の種類を１種類に限定することができる電化製品であって、
電化製品を操作するための操作手段と、
情報を記憶するための情報の記憶手段と、
情報を処理するための情報の処理手段と、
情報を記憶媒体に書き込むための情報の書込手段と、
情報を記憶媒体から読み込むための情報の読込手段と、
を具備し、
前記記憶手段に、制御情報と、互換情報と、を予め記憶し、
前記処理手段が、
前記操作手段の操作に応じて前記記憶手段から制御情報を抽出するステップと、
前記読込手段を用いて記憶媒体から情報を読み込み、記憶媒体に制御情報が記憶されているかどうかを確認するステップと、
記憶媒体に制御情報が記憶されていない場合は、抽出した制御情報を、前記書込手段を用いて記憶媒体に書込むステップと、
記憶媒体に制御情報が記憶されている場合は、記憶されている制御情報が抽出した制御情報と互換関係にあるかを確認するステップと、
互換関係にある場合は、抽出した制御情報を、前記書込手段を用いて記憶媒体に書込むステップと、
互換関係にない場合は、抽出した制御情報の書込みを行わないステップと、
を実行できることを特徴とする、電化製品。
【請求項５】
記憶媒体をセットするだけで目的の結果を得ることができる電化製品であって、
請求項１、請求項４、の少なくとも１つ記載の電化製品において、
磁力により接点のオンとオフを切り替える切換え手段を具備し、
記憶媒体から制御情報を読み込み、読み込んだ制御情報を基に制御を開始するステップ、を前記切換え手段に連動して実行できること、を特徴とする、電化製品。